(57)【要約】【課題】１０条型式の水田作業機において、一つの操作部により２つの繰り出し部の操作を行えるように構成しながら、２つの貯留部を同じもの（同容量）に構成する。【解決手段】１条目〜５条目に対応する繰り出し部３１ａ〜３１ｅ（第１貯留部用）、６条目〜１０条目に対応する繰り出し部３１ｆ〜３１ｊ（第２貯留部用）、繰り出し部３１ａ〜３１ｊを供給状態及び停止状態に操作可能な供給切換部６６を備える。第１操作部９１と１条目及び２条目の供給切換部６６と接続する。第２操作部９２と３条目及び４条目の供給切換部６６とを接続する。第３操作部９３ａと５条目の供給切換部６６とを接続して、第３操作部９３ｂと６条目の供給切換部６６とを接続する。第４操作部９４と７条目及び８条目の供給切換部６６とを接続する。第５操作部９５と９条目及び１０条目の供給切換部６６と接続する。【選択図】図１０
2014155476.tif 000002
【特許請求の範囲】
【請求項１】
左右方向に所定間隔を置いて田面に設定される１０条の供給位置に農用供給体を供給するように構成された水田作業機において、
農用供給体を貯留する第１貯留部及び第２貯留部と、前記第１貯留部の農用供給体を繰り出すもので１条目〜５条目に対応する５個の繰り出し部と、前記第２貯留部の農用供給体を繰り出すもので６条目〜１０条目に対応する５個の繰り出し部とを備えて、
前記第１及び第２貯留部の農用供給体が、１条目〜１０条目の前記繰り出し部の各々から１条目〜１０条目の前記供給位置の各々に供給されるように構成し、
農用供給体が前記繰り出し部から前記供給位置に供給される供給状態と供給されない停止状態とに操作可能な供給切換部を、１条目〜１０条目の前記繰り出し部の各々に備え、
第１，２，３，４，５操作部と、前記第１操作部と１条目及び２条目の前記供給切換部とを接続する接続機構と、前記第２操作部と３条目及び４条目の前記供給切換部とを接続する接続機構と、前記第３操作部と５条目の前記供給切換部とを接続する接続機構と、前記第３操作部と６条目の前記供給切換部とを接続する接続機構と、前記第４操作部と７条目及び８条目の前記供給切換部とを接続する接続機構と、前記第５操作部と９条目及び１０条目の前記供給切換部とを接続する接続機構とを備えて、
前記第１操作部により１条目及び２条目の前記供給切換部を操作可能、前記第２操作部により３条目及び４条目の前記供給切換部を操作可能、前記第３操作部により５条目及び６条目の前記供給切換部を操作可能、前記第４操作部により７条目及び８条目の前記供給切換部を操作可能、前記第５操作部により９条目及び１０条目の前記供給切換部を操作可能に構成している水田作業機。
【請求項２】
第１アクチュエータ及び第２アクチュエータを備え、
前記第３操作部を、５条目の前記供給切換部に接続される５条目用第３操作部と、６条目の前記供給切換部に接続される６条目用第３操作部とを備えて構成し、
前記第１アクチュエータにより、前記第１及び第２操作部と、前記５条目用第３操作部とを操作可能に構成し、
前記第２アクチュエータにより、前記第４及び第５操作部と、前記６条目用第３操作部とを操作可能に構成して、
前記第１アクチュエータにより前記第１操作部を操作して１条目及び２条目の前記供給切換部を操作可能、前記第１アクチュエータにより前記第２操作部を操作して３条目及び４条目の前記供給切換部を操作可能、前記第１及び第２アクチュエータにより前記５条目用及び６条目用第３操作部を操作して５条目及び６条目の前記供給切換部を操作可能、前記第２アクチュエータにより前記第４操作部を操作して７条目及び８条目の前記供給切換部を操作可能、前記第２アクチュエータにより前記第５操作部を操作して９条目及び１０条目の前記供給切換部を操作可能に構成している請求項１に記載の水田作業機。
【請求項３】
前記第１貯留部と、１条目〜５条目の前記繰り出し部と、１条目〜５条目の前記供給切換部と、前記第１アクチュエータとを、機体の左側部に備え、
前記第２貯留部と、６条目〜１０条目の前記繰り出し部と、６条目〜１０条目の前記供給切換部と、前記第２アクチュエータとを、機体の右側部に備えている請求項２に記載の水田作業機。
【請求項４】
左右方向に所定間隔を置いて田面に設定される６条の供給位置に農用供給体を供給するように構成された水田作業機において、
農用供給体を貯留する第１貯留部及び第２貯留部と、前記第１貯留部の農用供給体を繰り出すもので１，２，３条目に対応する３個の繰り出し部と、前記第２貯留部の農用供給体を繰り出すもので４，５，６条目に対応する３個の繰り出し部とを備えて、
前記第１及び第２貯留部の農用供給体が、１条目〜６条目の前記繰り出し部の各々から１条目〜６条目の前記供給位置の各々に供給されるように構成し、
農用供給体が前記繰り出し部から前記供給位置に供給される供給状態と供給されない停止状態とに操作可能な供給切換部を、１条目〜６条目の前記繰り出し部の各々に備え、
第１，２，３操作部と、前記第１操作部と１条目及び２条目の前記供給切換部とを接続する接続機構と、前記第２操作部と３条目の前記供給切換部とを接続する接続機構と、前記第２操作部と４条目の前記供給切換部とを接続する接続機構と、前記第３操作部と５条目及び６条目の前記供給切換部とを接続する接続機構とを備えて、
前記第１操作部により１条目及び２条目の前記供給切換部を操作可能、前記第２操作部により３条目及び４条目の前記供給切換部を操作可能、前記第３操作部により５条目及び６条目の前記供給切換部を操作可能に構成している水田作業機。
【請求項５】
第１アクチュエータ及び第２アクチュエータを備え、
前記第２操作部を、３条目の前記供給切換部に接続される３条目用第２操作部と、４条目の前記供給切換部に接続される４条目用第２操作部とを備えて構成し、
前記第１アクチュエータにより、前記第１操作部と、前記３条目用第２操作部とを操作可能に構成し、
前記第２アクチュエータにより、前記第３操作部と、前記４条目用第２操作部とを操作可能に構成して、
前記第１アクチュエータにより前記第１操作部を操作して１条目及び２条目の前記供給切換部を操作可能、前記第１及び第２アクチュエータにより前記３条目用及び４条目用第２操作部を操作して３条目及び４条目の前記供給切換部を操作可能、前記第２アクチュエータにより前記第３操作部を操作して５条目及び６条目の前記供給切換部を操作可能に構成している請求項４に記載の水田作業機。
【請求項６】
前記第１貯留部と、１，２，３条目の前記繰り出し部と、１，２，３条目の前記供給切換部と、前記第１アクチュエータとを、機体の左側部に備え、
前記第２貯留部と、４，５，６条目の前記繰り出し部と、４，５，６条目の前記供給切換部と、前記第２アクチュエータとを、機体の右側部に備えている請求項５に記載の水田作業機。
【発明の詳細な説明】
【技術分野】
【０００１】
本発明は、苗の植え付けを行いながら液状や粉粒状の肥料や薬剤等（農用供給体に相当）を田面に供給するように構成された乗用型田植機や、種籾（農用供給体に相当）の播種を行いながら液状や粉粒状の肥料や薬剤等（農用供給体に相当）を田面に供給するように構成された乗用型直播機等の水田作業機に関する。
【背景技術】
【０００２】
例えば特許文献１に開示されているように、苗の植え付けを行いながら液状の肥料（農用供給体に相当）を田面に供給するように構成された８条型式の乗用型田植機がある。
特許文献１では、液状の肥料を貯留する右及び左の肥料タンク（貯留部に相当）（特許文献１の図１，２，４の１６）、左の肥料タンクの肥料を繰り出す第１〜４側条ポンプ（繰り出し部に相当）（特許文献１の図４の８０ａ〜８０ｄ）、右の肥料タンクの肥料を繰り出す第５〜８側条ポンプ（繰り出し部に相当）（特許文献１の図４の８０ｅ〜８０ｈ）が備えられている。
【０００３】
第１〜８側条ノズル（特許文献１及び図４の８２ａ〜８２ｈ）が、左右方向に所定間隔を置いて苗植付装置に備えられている。第１〜４側条ポンプと第１〜４側条ノズルとが供給ホースを介して各別に接続されており、第５〜８側条ポンプと第５〜８側条ノズルとが供給ホースを介して各別に接続されている。
これにより、右及び左の肥料タンクの肥料が、第１〜８側条ポンプから供給ホースを介して第１〜８側条ノズルに供給され、第１〜８側条ノズルから田面に供給される。
【０００４】
特許文献１では、第１〜８側条ポンプの各々に、動力を遮断して停止させるシフト部材１０３（供給切換部に相当）（特許文献１の図１５及び図１６の１０３）が備えられており、第１〜４クラッチレバー（操作部に相当）（特許文献１の図１及び図１９の１１１ａ〜１１１ｄ）が、機体の後部に備えられている。
【０００５】
この場合、第１クラッチレバーと第１及び第２側条ポンプのシフト部材とが、ワイヤ（接続機構に相当）（特許文献１の図１９の１１２ａ）を介して接続されている。第２クラッチレバーと第３及び第４側条ポンプのシフト部材とが、ワイヤ（接続機構に相当）（特許文献１の図１９の１１２ｂ）を介して接続されている。
第３クラッチレバーと第５及び第６側条ポンプのシフト部材とが、ワイヤ（接続機構に相当）（特許文献１の図１９の１１２ｃ）を介して接続されている。第４クラッチレバーと第７及び第８側条ポンプのシフト部材とが、ワイヤ（接続機構に相当）（特許文献１の図１９の１１２ｄ）を介して接続されている。
【０００６】
これにより、第１クラッチレバーを操作することにより第１及び第２側条ポンプを停止させることができ、第２クラッチレバーを操作することにより第３及び第４側条ポンプを停止させることができる。第３クラッチレバーを操作することにより第５及び第６側条ポンプを停止させることができ、第４クラッチレバーを操作することにより第７及び第８側条ポンプを停止させることができる。
【先行技術文献】
【特許文献】
【０００７】
【特許文献１】特開２００８−１７３０８６号公報
【発明の概要】
【発明が解決しようとする課題】
【０００８】
特許文献１は、８条型式の水田作業機であるので、一つの操作部と２つの供給切換部（繰り出し部）とを接続機構を介して接続しても、右の貯留部及び４個の繰り出し部、並びに、左の貯留部及び４個の繰り出し部というように対称の構成となって、右及び左の貯留部を同じもの（同容量）に構成することができる。
【０００９】
これに対して１０条型式の水田作業機であると、一つの操作部と２つの供給切換部（繰り出し部）とを接続機構を介して接続すれば、例えば右の貯留部及び６個の繰り出し部、並びに、左の貯留部及び４個の繰り出し部というように非対称の構成となって、右及び左の貯留部を異なるもの（異なる容量）に構成する必要が生じる（例えば右の貯留部を左の貯留部よりも大きくする必要が生じる）。
６条型式の水田作業機でも同様に、一つの操作部と２つの供給切換部（繰り出し部）とを接続機構を介して接続すれば、例えば右の貯留部及び４個の繰り出し部、並びに、左の貯留部及び２個の繰り出し部というように非対称の構成となって、右及び左の貯留部を異なるもの（異なる容量）に構成する必要が生じる。
【００１０】
前述のように右及び左の貯留部において、繰り出し部の数が異なるものになると、右及び左の貯留部において農用供給体の消費具合の差が大きなものになって、右及び左の貯留部に対して各々異なる時期に農用供給体の補給を別々に行う必要が生じて、作業性の低下を招くことがある。
さらに、右及び左の貯留部が異なるもの（異なる容量）になると、右及び左の貯留部を共用することができず、２種類の異なる貯留部を製造する必要が生じて、製造コストの上昇を招くことになる。
【００１１】
本発明は、１０条型式及び６条型式の水田作業機において、一つの操作部により２つの供給切換部（繰り出し部）の操作を行えるように構成しながら、２つの貯留部を同じもの（同容量）に構成することができるようにすることを目的としている。
【課題を解決するための手段】
【００１２】
［Ｉ］
（構成）
本発明の第１特徴は、左右方向に所定間隔を置いて田面に設定される１０条の供給位置に農用供給体を供給するように構成された水田作業機において、次のように構成することにある。
農用供給体を貯留する第１貯留部及び第２貯留部と、前記第１貯留部の農用供給体を繰り出すもので１条目〜５条目に対応する５個の繰り出し部と、前記第２貯留部の農用供給体を繰り出すもので６条目〜１０条目に対応する５個の繰り出し部とを備えて、
前記第１及び第２貯留部の農用供給体が、１条目〜１０条目の前記繰り出し部の各々から１条目〜１０条目の前記供給位置の各々に供給されるように構成し、
農用供給体が前記繰り出し部から前記供給位置に供給される供給状態と供給されない停止状態とに操作可能な供給切換部を、１条目〜１０条目の前記繰り出し部の各々に備え、
第１，２，３，４，５操作部と、前記第１操作部と１条目及び２条目の前記供給切換部とを接続する接続機構と、前記第２操作部と３条目及び４条目の前記供給切換部とを接続する接続機構と、前記第３操作部と５条目の前記供給切換部とを接続する接続機構と、前記第３操作部と６条目の前記供給切換部とを接続する接続機構と、前記第４操作部と７条目及び８条目の前記供給切換部とを接続する接続機構と、前記第５操作部と９条目及び１０条目の前記供給切換部とを接続する接続機構とを備えて、
前記第１操作部により１条目及び２条目の前記供給切換部を操作可能、前記第２操作部により３条目及び４条目の前記供給切換部を操作可能、前記第３操作部により５条目及び６条目の前記供給切換部を操作可能、前記第４操作部により７条目及び８条目の前記供給切換部を操作可能、前記第５操作部により９条目及び１０条目の前記供給切換部を操作可能に構成している。
【００１３】
（作用及び発明の効果）
［Ｉ］−１
本発明の第１特徴によると、１０条型式の水田作業機において、１条目〜５条目の供給位置に対して、第１貯留部及び１条目〜５条目の繰り出し部が対応することになり、６条目〜１０条目の供給位置に対して、第２貯留部及び６条目〜１０条目の繰り出し部が対応する。
これにより、第１貯留部に属する繰り出し部（５個）と、第２貯留部に属する繰り出し部（５個）とを同数にすることができるのであり、第１及び第２貯留部を同じもの（同容量）に構成することができる。
【００１４】
従って、第１貯留部に属する繰り出し部（５個）と、第２貯留部に属する繰り出し部（５個）とを同数にすることにより、第１及び第２貯留部において農用供給体の消費具合の差が生じ難いものとなり、第１及び第２貯留部に対して各々異なる時期に農用供給体の補給を別々に行う必要が少なくなって、作業性を向上させることができる。
第１及び第２貯留部を同じもの（同容量）に構成することができることによって、第１及び第２貯留部を共用することができて、２種類の異なる貯留部を製造する必要が無くなり、製造コストの上昇を抑えることができる。
【００１５】
［Ｉ］−２
本発明の第１特徴によると、農用供給体が繰り出し部から供給位置に供給される供給状態と供給されない停止状態とに操作可能な供給切換部を、１条目〜１０条目の繰り出し部の各々に備えている。
この場合、１条目及び２条目の供給切換部（繰り出し部）、並びに、３条目及び４条目の供給切換部（繰り出し部）が第１貯留部に属することになるので、第１操作部と１条目及び２条目の供給切換部（繰り出し部）とを接続機構により容易に接続することができ、第２操作部と３条目及び４条目の供給切換部（繰り出し部）とを接続機構により接続することができる。
【００１６】
前述と同様に、７条目及び８条目の供給切換部（繰り出し部）、並びに、９条目及び１０条目の供給切換部（繰り出し部）が第２貯留部に属することになるので、第４操作部と７条目及び８条目の供給切換部（繰り出し部）とを接続機構により容易に接続することができ、第５操作部と９条目及び１０条目の供給切換部（繰り出し部）とを接続機構により接続することができる。
これにより、第１，２，４，５操作部によって、１条目及び２条目の供給切換部（繰り出し部）、３条目及び４条目の供給切換部（繰り出し部）、７条目及び８条目の供給切換部（繰り出し部）、９条目及び１０条目の供給切換部（繰り出し部）を無理なく操作することができる。
【００１７】
［Ｉ］−３
前項［Ｉ］−１，２に記載の状態において、５条目の供給切換部（繰り出し部）が第１貯留部に属し、６条目の供給切換部（繰り出し部）が第２貯留部に属することになり、５条目の供給切換部（繰り出し部）及び６条目の供給切換部（繰り出し部）が分かれる状態となる。
本発明の第１特徴によると、第３操作部と５条目の供給切換部（繰り出し部）とを接続機構により接続しており、第３操作部と６条目の供給切換部（繰り出し部）とを別の接続機構により接続している。これによって、第３操作部を操作することにより、２系統の接続機構を介して、互いに分かれた状態の５条目及び６条目の供給切換部（繰り出し部）を無理なく操作することができる。
【００１８】
［ＩＩ］
（構成）
本発明の第２特徴は、本発明の第１特徴の水田作業機において次のように構成することにある。
第１アクチュエータ及び第２アクチュエータを備え、
前記第３操作部を、５条目の前記供給切換部に接続される５条目用第３操作部と、６条目の前記供給切換部に接続される６条目用第３操作部とを備えて構成し、
前記第１アクチュエータにより、前記第１及び第２操作部と、前記５条目用第３操作部とを操作可能に構成し、
前記第２アクチュエータにより、前記第４及び第５操作部と、前記６条目用第３操作部とを操作可能に構成して、
前記第１アクチュエータにより前記第１操作部を操作して１条目及び２条目の前記供給切換部を操作可能、前記第１アクチュエータにより前記第２操作部を操作して３条目及び４条目の前記供給切換部を操作可能、前記第１及び第２アクチュエータにより前記５条目用及び６条目用第３操作部を操作して５条目及び６条目の前記供給切換部を操作可能、前記第２アクチュエータにより前記第４操作部を操作して７条目及び８条目の前記供給切換部を操作可能、前記第２アクチュエータにより前記第５操作部を操作して９条目及び１０条目の前記供給切換部を操作可能に構成している。
【００１９】
（作用及び発明の効果）
［ＩＩ］−１
前項［Ｉ］−２，３に記載の第１〜５操作部を第１及び第２アクチュエータにより操作して、１条目〜１０条目の供給切換部（繰り出し部）を操作するように構成する場合、仮に第１，２，３操作部を第１アクチュエータにより操作し、第４，５操作部を第２アクチュエータにより操作するように構成したとする。
前述の構成によると、第１及び第２アクチュエータが非対称の構成となるので、第１及び第２アクチュエータを共用することができず、２種類の異なるアクチュエータを製造する必要が生じて、製造コストの上昇を招くことになる。
【００２０】
［ＩＩ］−２
前項［ＩＩ］−１に記載の状態に対して、本発明の第２特徴によると、第３操作部を、５条目の供給切換部（繰り出し部）に接続される５条目用第３操作部と、６条目の供給切換部（繰り出し部）に接続される６条目用第３操作部とを備えて構成している。第１アクチュエータにより第１及び第２操作部と５条目用第３操作部とを操作可能に構成し、第２アクチュエータにより第４及び第５操作部と６条目用第３操作部とを操作可能に構成している。
これにより、第１アクチュエータの操作対象が第１及び第２操作部、５条目用第３操作部の３個となり、第２アクチュエータの操作対象が第４及び第５操作部、６条目用第３操作部の３個となって、第１及び第２アクチュエータの操作対象が同数となる。
従って、第１及び第２アクチュエータを共用することができて、２種類の異なるアクチュエータを製造する必要が無くなり、製造コストの上昇を抑えることができる。
【００２１】
［ＩＩＩ］
（構成）
本発明の第３特徴は、本発明の第２特徴の水田作業機において次のように構成することにある。
前記第１貯留部と、１条目〜５条目の前記繰り出し部と、１条目〜５条目の前記供給切換部と、前記第１アクチュエータとを、機体の左側部に備え、
前記第２貯留部と、６条目〜１０条目の前記繰り出し部と、６条目〜１０条目の前記供給切換部と、前記第２アクチュエータとを、機体の右側部に備えている。
【００２２】
（作用及び発明の効果）
本発明の第３特徴によると、機体の左側部及び右側部において、同容量の貯留部、同数（５個）の繰り出し部、同数（５個）の供給切換部、同じアクチュエータを備えることができるので、機体の左右バランスを向上させることができる。
【００２３】
［ＩＶ］
（構成）
本発明の第４特徴は、左右方向に所定間隔を置いて田面に設定される６条の供給位置に農用供給体を供給するように構成された水田作業機において、次のように構成することある。
農用供給体を貯留する第１貯留部及び第２貯留部と、前記第１貯留部の農用供給体を繰り出すもので１，２，３条目に対応する３個の繰り出し部と、前記第２貯留部の農用供給体を繰り出すもので４，５，６条目に対応する３個の繰り出し部とを備えて、
前記第１及び第２貯留部の農用供給体が、１条目〜６条目の前記繰り出し部の各々から１条目〜６条目の前記供給位置の各々に供給されるように構成し、
農用供給体が前記繰り出し部から前記供給位置に供給される供給状態と供給されない停止状態とに操作可能な供給切換部を、１条目〜６条目の前記繰り出し部の各々に備え、
第１，２，３操作部と、前記第１操作部と１条目及び２条目の前記供給切換部とを接続する接続機構と、前記第２操作部と３条目の前記供給切換部とを接続する接続機構と、前記第２操作部と４条目の前記供給切換部とを接続する接続機構と、前記第３操作部と５条目及び６条目の前記供給切換部とを接続する接続機構とを備えて、
前記第１操作部により１条目及び２条目の前記供給切換部を操作可能、前記第２操作部により３条目及び４条目の前記供給切換部を操作可能、前記第３操作部により５条目及び６条目の前記供給切換部を操作可能に構成している。
【００２４】
（作用及び発明の効果）
［ＩＶ］−１
本発明の第４特徴によると、６条型式の水田作業機において、１，２，３条目の供給位置に対して、第１貯留部及び１，２，３条目の繰り出し部が対応することになり、４，５，６条目の供給位置に対して、第２貯留部及び４，５，６条目の繰り出し部が対応する。
これにより、第１貯留部に属する繰り出し部（３個）と、第２貯留部に属する繰り出し部（３個）とを同数にすることができるのであり、第１及び第２貯留部を同じもの（同容量）に構成することができる。
【００２５】
従って、第１貯留部に属する繰り出し部（３個）と、第２貯留部に属する繰り出し部（３個）とを同数にすることにより、第１及び第２貯留部において農用供給体の消費具合の差が生じ難いものとなり、第１及び第２貯留部に対して各々異なる時期に農用供給体の補給を別々に行う必要が少なくなって、作業性を向上させることができる。
第１及び第２貯留部を同じもの（同容量）に構成することができることによって、第１及び第２貯留部を共用することができて、２種類の異なる貯留部を製造する必要が無くなり、製造コストの上昇を抑えることができる。
【００２６】
［ＩＶ］−２
本発明の第４特徴によると、農用供給体が繰り出し部から供給位置に供給される供給状態と供給されない停止状態とに操作可能な供給切換部を、１条目〜６条目の繰り出し部の各々に備えている。
この場合、１条目及び２条目の供給切換部（繰り出し部）が第１貯留部に属することになるので、第１操作部と１条目及び２条目の供給切換部（繰り出し部）とを接続機構により容易に接続することができる。
【００２７】
前述と同様に、５条目及び６条目の供給切換部（繰り出し部）が第２貯留部に属することになるので、第３操作部と５条目及び６条目の供給切換部（繰り出し部）とを接続機構により容易に接続することができる。
これにより、第１，３操作部によって、１条目及び２条目の供給切換部、５条目及び６条目の供給切換部（繰り出し部）を無理なく操作することができる。
【００２８】
［ＩＶ］−３
前項［ＩＶ］−１，２に記載の状態において、３条目の供給切換部（繰り出し部）が第１貯留部に属し、４条目の供給切換部（繰り出し部）が第２貯留部に属することになり、３条目の供給切換部（繰り出し部）及び４条目の供給切換部（繰り出し部）が分かれる状態となる。
本発明の第４特徴によると、第２操作部と３条目の供給切換部（繰り出し部）とを接続機構により接続しており、第２操作部と４条目の供給切換部（繰り出し部）とを別の接続機構により接続している。これによって、第２操作部を操作することにより、２系統の接続機構を介して、互いに分かれた状態の３条目及び４条目の供給切換部（繰り出し部）を無理なく操作することができる。
【００２９】
［Ｖ］
（構成）
本発明の第５特徴は、本発明の第４特徴の水田作業機において次のように構成することにある。
第１アクチュエータ及び第２アクチュエータを備え、
前記第２操作部を、３条目の前記供給切換部に接続される３条目用第２操作部と、４条目の前記供給切換部に接続される４条目用第２操作部とを備えて構成し、
前記第１アクチュエータにより、前記第１操作部と、前記３条目用第２操作部とを操作可能に構成し、
前記第２アクチュエータにより、前記第３操作部と、前記４条目用第２操作部とを操作可能に構成して、
前記第１アクチュエータにより前記第１操作部を操作して１条目及び２条目の前記供給切換部を操作可能、前記第１及び第２アクチュエータにより前記３条目用及び４条目用第２操作部を操作して３条目及び４条目の前記供給切換部を操作可能、前記第２アクチュエータにより前記第３操作部を操作して５条目及び６条目の前記供給切換部を操作可能に構成している。
【００３０】
（作用及び発明の効果）
［Ｖ］−１
前項［ＩＶ］−２，３に記載の第１，２，３操作部を第１及び第２アクチュエータにより操作して、１条目〜６条目の供給切換部（繰り出し部）を操作するように構成する場合に、仮に第１，２操作部を第１アクチュエータにより操作し、第３操作部を第２アクチュエータにより操作するように構成したとする。
前述の構成によると、第１及び第２アクチュエータが非対称の構成となるので、第１及び第２アクチュエータを共用することができず、２種類の異なるアクチュエータを製造する必要が生じて、製造コストの上昇を招くことになる。
【００３１】
［Ｖ］−２
前項［Ｖ］−１に記載の状態に対して、本発明の第５特徴によると、第２操作部を、３条目の供給切換部（繰り出し部）に接続される３条目用第２操作部と、４条目の供給切換部（繰り出し部）に接続される４条目用第２操作部とを備えて構成している。第１アクチュエータにより第１操作部と３条目用第２操作部とを操作可能に構成し、第２アクチュエータにより第３操作部と４条目用第２操作部とを操作可能に構成している。
これにより、第１アクチュエータの操作対象が第１操作部と３条目用第２操作部との２個となり、第２アクチュエータの操作対象が第３操作部と４条目用第２操作部との２個となって、第１及び第２アクチュエータの操作対象が同数となる。
従って、第１及び第２アクチュエータを共用することができて、２種類の異なるアクチュエータを製造する必要が無くなり、製造コストの上昇を抑えることができる。
【００３２】
［ＶＩ］
（構成）
本発明の第６特徴は、本発明の第５特徴の水田作業機において次のように構成することにある。
前記第１貯留部と、１，２，３条目の前記繰り出し部と、１，２，３条目の前記供給切換部と、前記第１アクチュエータとを、機体の左側部に備え、
前記第２貯留部と、４，５，６条目の前記繰り出し部と、４，５，６条目の前記供給切換部と、前記第２アクチュエータとを、機体の右側部に備えている。
【００３３】
（作用及び発明の効果）
本発明の第６特徴によると、機体の左側部及び右側部において、同容量の貯留部、同数（３個）の繰り出し部、同数（３個）の供給切換部、同じアクチュエータを備えることができるので、機体の左右バランスを向上させることができる。
【図面の簡単な説明】
【００３４】
【図１】１０条型式の乗用型田植機の全体側面図である。
【図２】１０条型式の乗用型田植機の全体平面図である。
【図３】１０条型式の乗用型田植機の全体正面図である。
【図４】エンジン、静油圧式無段変速装置、ミッションケース、変速機構、第１及び第２肥料タンク、第１〜１０ポンプ、並びに、第１〜１０ポンプと第１〜１０ノズルとの接続状態を示す図である。
【図５】エンジン、静油圧式無段変速装置、ミッションケース、苗植付装置の伝動系、並びに、変速機構、第１〜１０ポンプの伝動系を示す図である。
【図６】左の肥料タンク、第１〜５ポンプの付近の側面図である。
【図７】左の肥料タンク、第１〜５ポンプの付近の縦断正面図である。
【図８】第１〜５ポンプ（第６〜１０ポンプ）の操作アーム、接続部材及びワイヤの付近の平面図である。
【図９】第１〜５ポンプ（第６〜１０ポンプ）のカバー及び操作部材の付近の側面図である。
【図１０】第１〜１０ポンプ、植付クラッチ、施肥クラッチ、第１〜５クラッチスイッチ、第１〜５少数条クラッチ及び第１〜５縦送りクラッチ等の連係状態を示す図である。
【図１１】図１０に示す状態から第１クラッチスイッチを押し操作（ＯＮ操作）した場合の第１〜１０ポンプの状態を示す図である。
【図１２】図１１に示す状態から第２クラッチスイッチを押し操作（ＯＮ操作）した場合の第１〜１０ポンプの状態を示す図である。
【図１３】図１２に示す状態から第３クラッチスイッチを押し操作（ＯＮ操作）した場合の第１〜１０ポンプの状態を示す図である。
【図１４】図１３に示す状態から第４クラッチスイッチを押し操作（ＯＮ操作）した場合の第１〜１０ポンプの状態を示す図である。
【図１５】図１４に示す状態から第５クラッチスイッチを押し操作（ＯＮ操作）した場合の第１〜１０ポンプの状態を示す図である。
【図１６】発明の実施の第１別形態において、第１〜５少数条レバーと第１〜１０ポンプ、第１〜５少数条クラッチ、第１〜５縦送りクラッチとの連係状態を示す図である。
【図１７】発明の実施の第２別形態（６条型式の乗用型田植機）において、エンジン、静油圧式無段変速装置、ミッションケース、変速機構、第１及び第２肥料タンク、第１〜６ポンプ、並びに、第１〜６ポンプと第１〜６ノズルとの接続状態を示す図である。
【図１８】発明の実施の第２別形態（６条型式の乗用型田植機）において、第１〜６ポンプ、植付クラッチ、施肥クラッチ、第１〜３クラッチスイッチ、第１〜３少数条クラッチ及び第１〜３縦送りクラッチ等の連係状態を示す図である。
【図１９】発明の実施の第３別形態（６条型式の乗用型田植機）において、第１，２，３少数条レバーと第１〜６ポンプ、第１，２，３少数条クラッチ、第１，２，３縦送りクラッチとの連係状態を示す図である。
【発明を実施するための形態】
【００３５】
［１］
図１及び図２に示すように、右及び左の前輪１、右及び左の後輪２を備えた機体の後部に、リンク機構３及びリンク機構３を昇降駆動する油圧シリンダ４が備えられており、リンク機構３の後部に１０条型式の苗植付装置５が支持されて、水田作業機の一例である１０条型式の乗用型田植機が構成されている。
【００３６】
図１及び図２に示すように、苗植付装置５は５個の伝動ケース６、伝動ケース６の後部の右及び左側部に回転駆動自在に支持された植付ケース７、植付ケース７の両端に備えられた一対の植付アーム８、５個の接地フロート９及び苗のせ台１０等を備えて構成されている。これにより、苗のせ台１０が左右に往復横送り駆動されるのに伴って、植付ケース７が回転駆動され、苗のせ台１０の下部から植付アーム８が交互に苗を取り出して田面に植え付ける。
この場合、図２に示すように、機体の進行方向に向かって、左から１，２，３，４，５，６，７，８，９，１０条目（（１）〜（１０））とする。５条目と６条目との間に、機体の左右中央位置が位置する。
【００３７】
［２］
次に、右及び左の前輪１、右及び左の後輪２への走行伝動系について説明する。
図１に示すように、機体の前部にミッションケース１７が備えられ、ミッションケース１７の前部に連結された支持フレーム１８にエンジン１９が支持されている。ミッションケース１７の右及び左の横側部に右及び左の前車軸ケース２０が連結されており、右及び左の前輪１が右及び左の前車軸ケース２０の縦軸芯周りに操向自在に支持されている。
【００３８】
図５に示すように、ミッションケース１７の左の横側部における上部の前部に静油圧式無段変速装置２１が連結されており、エンジン１９の動力が静油圧式無段変速装置２１の入力軸２１ａに伝動ベルト２３を介して伝達されている。静油圧式無段変速装置２１は中立停止位置を備え、前進側及び後進側に無段階に変速自在に構成されている。ミッションケース１７の内部において、伝動軸２２が回転自在に支持されて、静油圧式無段変速装置２１の出力軸２１ｂと伝動軸２２とがスプライン構造により連結されている。
【００３９】
図５に示すように、伝動軸２２に低速ギヤ２４及び高速ギヤ２５が固定されており、伝動軸２２と平行に配置された伝動軸２６に、シフトギヤ２７がスプライン構造にて伝動軸２６と一体回転及びスライド自在に外嵌されている。これにより、シフトギヤ２７をスライド操作して低速ギヤ２４及び高速ギヤ２５に咬合させることによって、静油圧式無段変速装置２１の出力軸２１ｂ及び伝動軸２２の動力が、高低２段に変速されて伝動軸２６に伝達される。
【００４０】
以上の構造により図５に示すように、伝動軸２６の動力が伝動ギヤ３０から前輪デフ機構（図示せず）及び前車軸ケース２０の伝動軸（図示せず）を介して、右及び左の前輪１に伝達される。図１に示すように、伝動ギヤ３０から分岐した動力が伝動軸３８から後車軸ケース３７に伝達され、後車軸ケース３７の伝動軸（図示せず）を介して右及び左の後輪２に伝達される。
【００４１】
［３］
次に、苗植付装置５への植付伝動系について説明する。
図５に示すように、伝動ギヤ４３がワンウェイクラッチ４４を介して伝動軸２２に外嵌されており、ワンウェイクラッチ４４により静油圧式無段変速装置２１の出力軸２１ｂの前進の動力が伝動ギヤ４３に伝達される。
【００４２】
図５に示すように、伝動ギヤ４５及び６枚の伝動ギヤ４６が一体で回転するように互いに連結されて、伝動ギヤ４５及び６枚の伝動ギヤ４６が伝動軸２６に相対回転自在に外嵌されており、伝動ギヤ４３，４５が咬合している。伝動軸２６と平行に配置された伝動軸４７に６枚の変速ギヤ４８が相対回転自在に外嵌されて、６枚の伝動ギヤ４６及び変速ギヤ４８の各々が咬合している。
【００４３】
図５に示すように、変速ギヤ４８が外嵌された伝動軸４７の部分が中空状（円筒状）に構成されて、この伝動軸４７の部分の外周部に円形の開口部（図示せず）が形成されており、伝動軸４７の開口部にボール（図示せず）が配置されている。伝動軸４７に操作ロット４９がスライド操作自在に挿入されており、操作ロッド４９の先端部に大径部が備えられている。
【００４４】
図５に示すように、６枚の伝動ギヤ４６及び変速ギヤ４８及び操作ロッド４９等によって、植付変速機構５０が構成されている。操作ロッド４９をスライド操作して、操作ロッド４９の大径部により選択したボールを外方に押し出して、選択したボールを伝動軸４７の開口部と変速ギヤ４８の内周部とに入り込ませることによって、一つの変速ギヤ４８を伝動軸４７に連結する。これにより、操作ロッド４９により６枚の変速ギヤ４８のうちの一つの変速ギヤ４８を選択して伝動軸４７に連結することによって、伝動軸２６の動力が６段に変速されて伝動軸４７に伝達される。
【００４５】
図５に示すように、ミッションケース１７の後部の上部に出力軸５１が備えられて後向きに突出しており、出力軸５１に相対回転自在に外嵌されたベベルギヤ５２が伝動軸４７に固定されたベベルギヤ５３に咬合している。伝動軸４７の動力を出力軸５１に伝動及び遮断自在な植付クラッチ５７が、伝動軸５１とベベルギヤ５２との間に構成されている。図１に示すように、出力軸５１と苗植付装置５の入力軸（図示せず）とに亘って、伝動軸５８が接続されている。
【００４６】
以上の構造により図１及び図５に示すように、伝動軸２６の動力が植付変速機構５０、ベベルギヤ５２，５３、植付クラッチ５７、出力軸５１及び伝動軸５８を介して苗植付装置５に伝達される。植付変速機構５０により苗植付装置５（伝動軸４７）に伝達される動力を変速することによって、苗植付装置５（植付アーム８）による苗の植付間隔（機体の作業走行速度に対する苗植付装置５（植付アーム８）の植付速度の比）を変更することができる。
【００４７】
［４］
次に、左の肥料タンク２８（第１貯留部に相当）、右の肥料タンク２９（第２貯留部に相当）、第１，２，３，４，５，６，７，８，９，１０ポンプ３１ａ，３１ｂ，３１ｃ，３１ｄ，３１ｅ，３１ｆ，３１ｇ，３１ｈ，３１ｉ，３１ｊ（繰り出し部に相当）の構造について説明する。
【００４８】
図１及び図２に示すように、エンジン１９を覆うボンネット１２の下部の右及び左横側に、畦から運転座席１１及びフロア１６への乗降用のステップ１３が備えられており、支持フレーム１８及び前車軸ケース２０から、前及び後の支持フレーム１４が右及び左のステップ１３の横外側に延出され上方に延出されている。５個の予備苗のせ台１４ａが右及び左のステップ１３の横外側に位置するように前及び後の支持フレーム１４に支持されている。
【００４９】
図３，６，７に示すように、前及び後の支持フレーム１４に、前及び後の支持フレーム１５が連結されて右及び左横側に延出されており、板材を折り曲げて構成された支持フレーム３３が前及び後の支持フレーム１５に亘って連結されている。液状の肥料（農用供給体に相当）を貯留する右及び左の肥料タンク２８，２９が、支持フレーム６３に載置されて支持され、右及び左の肥料タンク２８，２９が前及び後の支持フレーム１５に連結されている。右及び左の肥料タンク２８，２９は合成樹脂製で半透明に構成され、縦長状に構成された同じもの（同容量）であり、機体の右及び左横側で予備苗のせ台１４ａの下方に右及び左の肥料タンク２８，２９が前後方向に沿って配置されている。
【００５０】
図３，６，７に示すように、右及び左の肥料タンク２８，２９の内部における前後方向中央において、上下軸芯Ｐ１周りに攪拌羽根３４が回転自在に支持され、攪拌羽根３４を回転駆動する電動モータ３５が、右及び左の肥料タンク２８，２９の底部で支持フレーム３３の間に備えられている。これにより、電動モータ３５により攪拌羽根３４を回転駆動し、液状の肥料を攪拌することによって、液状の肥料の固化を防止している。
【００５１】
図３，６，７に示すように、正面視逆三角形状の前及び後のブラケット３６が、支持フレーム３３の前部及び後部に下向きに連結されており、前及び後のブラケット３６に亘って上及び下の補強ロッド３９が連結されている。左の肥料タンク２８の下方において、第１，２，３，４，５ポンプ３１ａ，３１ｂ，３１ｃ，３１ｄ，３１ｅが、前及び後のブラケット３６に亘って左右方向に向いた状態で、前後方向（左の肥料タンク２８の長手方向に沿う方向）に並べて連結されている。
図４に示すように、右の肥料タンク２９の下方において、第６，７，８，９，１０ポンプ３１ｆ，３１ｇ，３１ｈ，３１ｉ，３１ｊが、前及び後のブラケット３６に亘って左右方向に向いた状態で、前後方向（右の肥料タンク２９の長手方向に沿う方向）に並べて連結されている。
【００５２】
図４及び図６に示すように、第１〜５ポンプ３１ａ〜３１ｅは内部で互いに連通しており、左の肥料タンク２８の前部下部から延出された供給路４０が最前部の第５ポンプ３１ｅに接続され、左の肥料タンク２８の後部下部から延出された供給路４１，４２が最後部の第１ポンプ３１ａに接続されている。
図４に示すように、第６〜１０ポンプ３１ｆ〜３１ｊは内部で互いに連通しており、右の肥料タンク２９の前部下部から延出された供給路４０が最前部の第６ポンプ３１ｆに接続され、右の肥料タンク２９の後部下部から延出された供給路４１，４２が最後部の第１０ポンプ３１ｊに接続されている。
【００５３】
図６に示すように、供給路４０，４１はゴムホース製でエルボ状に構成されており、供給路４２は合成樹脂製でＴ字状に構成されて、供給路４２から斜め外方下方に向けて排出路４２ａが延出されている。供給路４２の排出路４２ａに開閉弁（図示せず）が内装されており、開閉弁を操作する操作アーム４２ｂが供給路４２の排出路４２ａに備えられている。
【００５４】
これにより図４及び図７に示すように、左の肥料タンク２８の液状の肥料が供給路４０を介して第５ポンプ３１ｅの吸引部５４に供給され、供給路４１，４２を介して第１ポンプ３１ａの吸引部５４に供給されて、第１〜５ポンプ３１ａ〜３１ｅの吸引部５４に供給される。図  に示すように、右の肥料タンク２９の液状の肥料が供給路４０を介して第６ポンプ３１ｆの吸引部５４に供給され、供給路４１，４２を介して第１０ポンプ３１ｊの吸引部５４に供給されて、第６〜１０ポンプ３１ｆ〜３１ｊの吸引部５４に供給される。
【００５５】
［５］
次に、第１，２，３，４，５，６，７，８，９，１０ノズル３２ａ，３２ｂ，３２ｃ，３２ｄ，３２ｅ，３２ｆ，３２ｇ，３２ｈ，３２ｉ，３２ｊ（供給位置に対応）について説明する。
【００５６】
図１及び図４に示すように、第１〜１０ノズル３２ａ〜３２ｊは細いパイプ状で金属パイプにより構成されおり、第１〜１０ノズル３２ａ〜３２ｊが植付ケース７及び植付アーム８の通過軌跡の横近傍に配置されるように、左右方向に所定間隔を置いて苗植付装置５に固定されている。第１〜１０ノズル３２ａ〜３２ｊの出口が田面内の比較的浅い位置に配置されており、第１〜１０ポンプ３１ａ〜３１ｊの各々と第１〜１０ノズル３２ａ〜３２ｊの各々とに亘って、供給ホース５５が接続されている。
【００５７】
これにより、図４に示すように、第１ポンプ３１ａ及び第１ノズル３２ａが１条目に対応し、第２ポンプ３１ｂ及び第２ノズル３２ｂが２条目に対応し、第３ポンプ３１ｃ及び第３ノズル３２ｃが３条目に対応し、第４ポンプ３１ｄ及び第４ノズル３２ｄが４条目に対応し、第５ポンプ３１ｅ及び第５ノズル３２ｅが５条目に対応するのであり、左の肥料タンク２８が第１〜５条目に対応する。
【００５８】
図４に示すように、第６ポンプ３１ｆ及び第６ノズル３２ｆが６条目に対応し、第７ポンプ３１ｇ及び第７ノズル３２ｇが７条目に対応し、第８ポンプ３１ｈ及び第８ノズル３２ｈが８条目に対応し、第９ポンプ３１ｉ及び第９ノズル３２ｉが９条目に対応し、第１０ポンプ３１ｊ及び第１０ノズル３２ｊが１０条目に対応するのであり、右の肥料タンク２９が第６〜１０条目に対応する。
この場合、５条目の第５ノズル３２ｅ及び植付ケース７（植付アーム８）と、６条目の第６ノズル３２ｆ及び植付ケース７（植付アーム８）との間に、機体の左右中央位置が位置する。
【００５９】
以上の構造により、図１及び図４に示すように、苗植付装置５による苗の植え付けに伴って、後述する［６］に記載のように、第１〜１０ポンプ３１ａ〜３１ｊが駆動されて、左の肥料タンク２８の液状の肥料が、第１〜５ノズル３２ａ〜３２ｅを介して田面に供給され、右の肥料タンク２９の液状の肥料が、第６〜１０ノズル３２ｆ〜３２ｊを介して田面に供給される。
【００６０】
［６］
次に、第１〜１０ポンプ３１ａ〜３１ｊの駆動構造について説明する。
図５に示すように、ミッションケース１７に施肥出力軸５６が回転自在に支持されており、施肥出力軸５６がミッションケース１７から外部に突出している。植付変速機構５０の最も小径の伝動ギヤ４６の動力が、伝動ギヤ５９及び施肥クラッチ６０を介して施肥出力軸５６に伝達される。複数段に変速自在な変速機構６１が右のステップ１３の下部に固定され、施肥出力軸５６に固定された出力スプロケット５６ａと、変速機構６１の入力スプロケット６１ａとに亘って伝動チェーン６２が巻回されている。
【００６１】
図４及び図７に示すように、変速機構６１から左の出力軸６１ｂが左横側に延出されており、変速機構６１の左の出力軸６１ｂが支持フレーム１８の上側で伝動ベルト２３の下側を通って、第１ポンプ３１ａの近傍まで延出されている。後のブラケット３６に連結された軸受け部３６ａに、変速機構６１の左の出力軸６１ｂが回転自在に支持されている。変速機構６１から右の出力軸６１ｃが右横側に延出されて、第１０ポンプ３１ｊの近傍に延出されており、後のブラケット３６に連結された軸受け部３６ａに、変速機構６１の右の出力軸６１ｃが回転自在に支持されている。
【００６２】
図７に示すように、第１〜１０ポンプ３１ａ〜３１ｊは、液状の肥料を圧送するローター６３、ローター６３に連結された駆動軸６４、駆動軸６４に相対回転自在に外嵌された一対の伝動スプロケット６５、キー構造にて駆動軸６４に一体回転及びスライド自在に外嵌されたシフト部材６６（供給切換部に相当）、シフト部材６６を伝動スプロケット６５の咬合側に付勢するバネ６７等を備えて構成されている。第１〜１０ポンプ３１ａ〜３１ｊの吐出部６８の最上部にプラグ６９が接続されて、プラグ６９に供給ホース５５が接続されている。
【００６３】
図６及び図７に示すように、第１〜１０ポンプ３１ａ〜３１ｊの吐出部６８の圧力を検出する詰まりセンサー７０が、第１〜１０ポンプ３１ａ〜３１ｊの吐出部６８の最下部に備えられており、詰まりセンサー７０の表示部７０ａ（ＬＥＤ等）が詰まりセンサー７０の下部に備えられている。これにより、詰まりセンサー７０の表示部７０ａが機体の右及び左横側に備えられた状態となり、機体の右又は左横側の補助作業者が詰まりセンサー７０の表示部７０ａを比較的容易に目視することができる。
【００６４】
図４及び図７に示すように、変速機構６１の左の出力軸６１ｂの端部に出力スプロケット６１ｄが固定されて、第１ポンプ３１ａの伝動スプロケット６５と、変速機構６１の左の出力軸６１ｂの出力スプロケット６１ｄとに亘って、伝動チェーン７１が巻回されており、第１〜５ポンプ３１ａ〜３１ｅの伝動スプロケット６５に亘って伝動チェーン７１が巻回されている。
【００６５】
図４に示すように、変速機構６１の右の出力軸６１ｃの端部に出力スプロケット６１ｄが固定されて、第１０ポンプ３１ｊの伝動スプロケット６５と、変速機構６１の右の出力軸６１ｃの出力スプロケット６１ｄとに亘って伝動チェーン７１が巻回されており、第６〜１０ポンプ３１ｆ〜３１ｊの伝動スプロケット６５に亘って伝動チェーン７１が巻回されている。
【００６６】
図４及び図５に示すように、ワンウェイクラッチ４４と植付変速機構５０との間の動力（植付変速機構５０において、操作ロッド４９により伝動軸２６の動力が６段に変速されて伝動軸４７に伝達される前の動力）（伝動ギヤ４６の動力）が、伝動ギヤ５９、施肥クラッチ６０、施肥出力軸５６、伝動チェーン６２、変速機構６１、伝動チェーン７１、伝動スプロケット６５及びシフト部材６６を介して、第１〜１０ポンプ３１ａ〜３１ｊに伝達される。
【００６７】
図４及び図７に示すように、液状の肥料が第１〜１０ポンプ３１ａ〜３１ｊの吸引部５４に入り込み、ローター６３の回転により液状の肥料が、第１〜１０ポンプ３１ａ〜３１ｊの吐出部６８に圧送されて、プラグ６９から供給ホース５５を介して、第１〜１０ノズル３２ａ〜３２ｊに供給される。変速機構６１を変速操作することによって、第１〜１０ポンプ３１ａ〜３１ｊの駆動速度を変速して、第１〜１０ポンプ３１ａ〜３１ｊによる液状の肥料の供給量を変更することができる。
【００６８】
この場合、図７に示すように、第１〜１０ポンプ３１ａ〜３１ｊの吐出部６８の最上部にプラグ６９が接続されているので、第１〜１０ポンプ３１ａ〜３１ｊの吸引部５４及び吐出部６８に空気が滞留しかけても、空気がプラグ６９から供給ホース５５に圧送され易くなる。第１〜１０ノズル３２ａ〜３２ｊ及び供給ホース５５に液状の肥料の詰まりが発生すると、液状の肥料の詰まりが発生した第１〜１０ポンプ３１ａ〜３１ｊの吐出部６８の圧力が上昇するので、圧力の上昇を検出した詰まりセンサー７０の表示部７０ａが点灯する。
【００６９】
［７］
次に、植付クラッチ５７及び施肥クラッチ６０の操作について説明する。
図１，２，３に示すように、右及び左の前輪１を操向操作する操縦ハンドル７２の下側の右横側に操作レバー７３が備えられ、操作レバー６３が右の横外方に延出されている。図１０に示すように、操作レバー７３は中立位置Ｎから上方の第１上昇位置Ｕ１及び第２上方位置Ｕ２、下方の第１下降位置Ｄ１及び第２下降位置Ｄ２、後方の右マーカー位置Ｒ及び前方の左マーカー位置Ｌの十字方向に操作自在に構成されて、中立位置Ｎに付勢されており、操作レバー７３の操作位置が制御装置７４に入力されている。
【００７０】
右及び左のマーカー（図示せず）が機体の前部の右及び左横側部に備えられており、右及び左のマーカーが田面に接地して次の作業行程の指標を形成する作用姿勢、及び田面から上方に離れた格納姿勢に変更自在に構成されている。右及び左のマーカーを作用及び格納姿勢に操作する電動モータ（図示せず）が備えられており、制御装置７４により電動モータが操作される。
【００７１】
図１０に示すように、植付クラッチ５７を伝動及び遮断状態に操作する電動モータ７５及び施肥クラッチ６０を伝動及び遮断状態に操作する電動モータ７６、油圧シリンダ４に作動油を給排操作する制御弁７７が備えられており、制御装置７４により電動モータ７５，７６及び制御弁７７が操作される。
【００７２】
図１０に示すように、操作レバー７３を第２上昇位置Ｕ２に操作すると、電動モータ７５，７６により植付及び施肥クラッチ５７，６０が遮断状態に操作され、後述する自動昇降制御が停止され、右及び左のマーカーが格納姿勢に操作されて、苗植付装置５が上限位置まで上昇する。
【００７３】
図１０に示すように、操作レバー７３を第２下降位置Ｄ２に操作すると、苗植付装置５が下降して、接地フロート９が田面に接地すると自動昇降制御が作動し、苗植付装置５が田面に接地して停止した状態となる。操作レバー７３を再び第２下降位置Ｄ２に操作すると、電動モータ７５，７６により植付及び施肥クラッチ５７，６０が伝動状態に操作される。
操作レバー７３を右マーカー位置Ｒに操作すると、右のマーカーが作用姿勢に操作されるのであり、操作レバー７３を左マーカー位置Ｌに操作すると、左のマーカーが作用姿勢に操作される。
【００７４】
この場合、自動昇降制御は次のようにして行われる。
苗植付装置５に中央の接地フロート９の後部が上下に揺動自在に支持されて、苗植付装置５に対する中央の接地フロート９の高さを検出するポテンショメータ（図示せず）が備えられており、ポテンショメータの検出値が制御装置７４に入力されている。機体の進行に伴って中央の接地フロート９が田面に接地追従するのであり、ポテンショメータの検出値により苗植付装置５に対する中央の接地フロート９の高さを検出することによって、田面（中央の接地フロート９）から苗植付装置５までの高さを検出することができる。
【００７５】
これにより、苗植付装置５に対する中央の接地フロート９の高さ（田面（中央の接地フロート９）から苗植付装置５までの高さ）に基づいて、苗植付装置５が田面から設定高さに維持されるように（ポテンショメータの検出値が設定値に維持されるように）、制御弁７７により油圧シリンダ４が操作されて、苗植付装置５が自動的に昇降する。
【００７６】
図１０に示すように、操作レバー７３を第１上昇位置Ｕ１に操作すると、電動モータ７５，７６により植付及び施肥クラッチ５７，６０が遮断状態に操作されて、自動昇降制御が停止され、右及び左のマーカーが格納姿勢に操作されて、苗植付装置５が上昇する。この場合、操作レバー７３を第１上昇位置Ｕ１に操作している間だけ苗植付装置５が上昇するのであり、操作レバー７３を第１上昇位置Ｕ１から中立位置Ｎに操作すると、苗植付装置５の上昇が停止する。
【００７７】
図１０に示すように、操作レバー７３を第１下降位置Ｄ１に操作すると、苗植付装置５が下降する。この場合、操作レバー７３を第１下降位置Ｄ１に操作している間だけ苗植付装置５が下降するのであり、操作レバー７３を第１下降位置Ｄ１から中立位置Ｎに操作すると、苗植付装置５の下降が停止する。これにより、操作レバー７３を第１上昇及び第１下降位置Ｕ１，Ｄ１に操作することにより、リンク機構３（苗植付装置５）を任意の高さに昇降させて停止させることができる。
【００７８】
［８］
次に、操作部材８５による第１〜１０ポンプ３１ａ〜３１ｊの停止構造について説明する。
図７に示すように、第１〜１０ポンプ３１ａ〜３１ｊの各々の上部に支持ピン７８が横向き取り付けられ、支持ピン７８の各々に操作アーム７９が揺動自在に支持されており、操作アーム７９の各々が第１〜１０ポンプ３１ａ〜３１ｊのシフト部材６６の各々に係合している。
【００７９】
図７及び図９に示すように、ピアノ線で構成された操作部材８５が操作アーム７９に固定され、操作部材８５が支持ピン７８に当て付けられながら上方に延出されている。伝動スプロケット６５及び操作アーム７９等を覆うカバー８０が支持フレーム３３に固定されており、カバー８０に開口されたレバーガイド８０ａに、操作部材８５が通されて上方に延出されている。
【００８０】
図７及び図９に示すように、操作部材８５の上部を手で持って図７及び図９の紙面下方に移動させると、操作アーム７９が揺動操作されて、シフト部材６６が伝動スプロケット６５から離し操作されるのであり、操作部材８５をカバー８０のレバーガイド８０ａに係合させることにより、シフト部材６６を伝動スプロケット６５から離し操作した状態に保持できる。これにより、操作部材８５により、第１〜１０ポンプ３１ａ〜３１ｊの各々を独立で停止させることができる。
【００８１】
［９］
次に、第１〜１０ポンプ３１ａ〜３１ｊのシフト部材６６を操作する右及び左の操作ユニット８３，８４の構造について説明する。
図１，２，３に示すように、左の肥料タンク２８（右の肥料タンク２９）と最下段の予備苗のせ台１４ａとの間において、前及び後の支持フレーム１４に亘って支持板８２が固定されており、右及び左の操作ユニット８３，８４が右及び左の横外側に向くように支持板８２に固定されている。
この場合、後述するように右及び左の操作ユニット８３，８４は全く同じものであるので、右及び左の側面視で右及び左の操作ユニット８３，８４が互いに逆向きになる。
【００８２】
これにより、図１及び図２に示すように、右及び左の操作ユニット８３，８４は、側面視及び平面視において、右及び左の肥料タンク２８，２９と最下段の予備苗のせ台１４ａとの間に位置することになり（右及び左の操作ユニット８３，８４は、ステップ１３の上方に突出するように配置されていない）、畔からステップ１３を通って運転座席１１及びフロア１６へ乗降する際に、右及び左の操作ユニット８３，８４が邪魔にならない。
【００８３】
図１及び図２に示すように、右及び左の操作ユニット８３，８４は、側面視及び平面視において、右及び左の肥料タンク２８，２９の蓋部２８ａ，２９ａとブリーザパイプ２８ｂ，２９ｂとの間に位置している。これにより、右及び左の肥料タンク２８，２９の蓋部２８ａ，２９ａを後支点周りに後方上方に開けて、液状の肥料を右及び左の肥料タンク２８，２９に補給する際に、右及び左の操作ユニット８３，８４が右及び左の肥料タンク２８，２９の蓋部２８ａ，２９ａの開閉の邪魔にならない。
【００８４】
図１０に示すように、左の操作ユニット８３は、電動モータ８６（第１アクチュエータに相当）、第１カム部１０１、第２カム部１０２、５条目用第３カム部１０３ａ、第１操作部９１、第２操作部９２、５条目用第３操作部９３ａ（第３操作部に相当）が備えられている。
電動モータ８６により、第１カム部１０１、第２カム部１０２、５条目用第３カム部１０３ａが一体で正逆に回転駆動されるのであり、第１カム部１０１、第２カム部１０２、５条目用第３カム部１０３ａにより、第１操作部９１、第２操作部９２、５条目用第３操作部９３ａが操作される。
【００８５】
図１０に示すように、右の操作ユニット８４は、電動モータ８７（第２アクチュエータに相当）、６条目用第３カム部１０３ｂ、第４カム部１０４、第５カム部１０５、６条目用第３操作部９３ｂ（第３操作部に相当）、第４操作部９４、第５操作部９５が備えられている。
電動モータ８７により、６条目用第３カム部１０３ｂ、第４カム部１０４、第５カム部１０５ａが一体で正逆に回転駆動されるのであり、６条目用第３カム部１０３ｂ、第４カム部１０４、第５カム部１０５により、６条目用第３操作部９３ｂ、第４操作部９４、第５操作部９５が操作される。
【００８６】
この場合、電動モータ８６と電動モータ８７、第１カム部１０１と６条目用第３カム部１０３ｂ、第２カム部１０２と第４カム部１０４、５条目用第３カム部１０３ａと第５カム部１０５、第１操作部９１と６条目用第３操作部９３ｂ、第２操作部９２と第４操作部９４、５条目用第３操作部９３ａと第５操作部９５とは、名称が異なるだけで同じものであり、右及び左の操作ユニット８３，８４は全く同じものである。
【００８７】
図７，８，１０に示すように、第１及び第２ポンプ３１ａ，３１ｂの操作アーム７９（シフト部材６６）に亘って一つの接続部材８８が接続され、第３及び第４ポンプ３１ｃ，３１ｄの操作アーム７９（シフト部材６６）に亘って一つの接続部材８８が接続され、第５ポンプ３１ｅの操作アーム７９（シフト部材６６）に一つの接続部材８８が接続されている。
【００８８】
図７，８，１０に示すように、第１操作部９１と第１及び第２ポンプ３１ａ，３１ｂの接続部材８８とに亘ってワイヤ８９（接続機構に相当）が接続され、第２操作部９２と第３及び第４ポンプ３１ｃ，３１ｄの接続部材８８とに亘ってワイヤ８９（接続機構に相当）が接続され、５条目用第３操作部９３ａと第５ポンプ３１ｅの接続部材８８とに亘ってワイヤ８９（接続機構に相当）が接続されている。
【００８９】
図１０に示すように、第６ポンプ３１ｆの操作アーム７９（シフト部材６６）に一つの接続部材８８が接続され、第７及び第８ポンプ３１ｇ，３１ｈの操作アーム７９（シフト部材６６）に亘って一つの接続部材８８が接続され、第９及び第１０ポンプ３１ｉ，３１ｊの操作アーム７９（シフト部材６６）に亘って一つの接続部材８８が接続されている。
【００９０】
図１０に示すように、６条目用第３操作部９３ｂと第６ポンプ３１ｆの接続部材８８とに亘ってワイヤ８９（接続機構に相当）が接続され、第４操作部９４と第７及び第８ポンプ３１ｇ，３１ｈの接続部材８８とに亘ってワイヤ８９（接続機構に相当）が接続され、第５操作部９５と第９及び第１０ポンプ３１ｉ，３１ｊの接続部材８８とに亘ってワイヤ８９（接続機構に相当）が接続されている。
【００９１】
以上の構造により、図１，２，３，１０に示すように、左の肥料タンク２８、左の操作ユニット８３（電動モータ８６、第１操作部９１、第２操作部９２、５条目用第３操作部９３ａ、第１カム部１０１、第２カム部１０２、５条目用第３カム部１０３ａ）、第１〜５ポンプ３１ａ〜３１ｅ及びシフト部材６６が、機体の左側部の前部に備えられている。
右の肥料タンク２９、右の操作ユニット８４（電動モータ８７、６条目用第３操作部９３ｂ、第４操作部９４、第５操作部９５、６条目用第３カム部１０３ｂ、第４カム部１０４、第５カム部１０５）、第６〜１０ポンプ３１ｆ〜３１ｊ及びシフト部材６６が、機体の右側部の前部に備えられている。
【００９２】
［１０］
次に、右及び左の操作ユニット８３，８４の作動について説明する。
図１０に示すように、左の操作ユニット８３において、電動モータ８６が中立位置にあると、第１操作部９１、第２操作部９２、５条目用第３操作部９３ａは操作されていない状態となる。
電動モータ８６が中立位置から正方向に所定角度ずつ回転することにより、第１操作部９１、第２操作部９２、５条目用第３操作部９３ａが順番に操作されるのであり、この状態から電動モータ８６が中立位置に向けて逆方向に所定角度ずつ回転することにより、５条目用第３操作部９３ａ、第２操作部９２、第１操作部９１が順番に戻し操作される。
【００９３】
図１０に示すように、電動モータ８６が中立位置から逆方向に所定角度ずつ回転することにより、５条目用第３操作部９３ａ、第２操作部９２、第１操作部９１が順番に操作されるのであり、この状態から電動モータ８６が中立位置に向けて正方向に所定角度ずつ回転することにより、第１操作部９１、第２操作部９２、５条目用第３操作部９３ａが順番に戻し操作される。
【００９４】
図１０に示すように、右の操作ユニット８４において、電動モータ８７が中立位置にあると、６条目第３操作部９３ｂ、第４操作部９４、第５操作部９５は操作されていない状態となる。
電動モータ８７が中立位置から正方向に所定角度ずつ回転することにより、６条目第３操作部９３ｂ、第４操作部９４、第５操作部９５が順番に操作されるのであり、この状態から電動モータ８７が中立位置に向けて逆方向に所定角度ずつ回転することにより、第５操作部９５、第４操作部９４、６条目第３操作部９３ｂが順番に戻し操作される。
【００９５】
図１０に示すように、電動モータ８７が中立位置から逆方向に所定角度ずつ回転することにより、第５操作部９５、第４操作部９４、６条目第３操作部９３ｂが順番に操作されるのであり、この状態から電動モータ８７が中立位置に向けて正方向に所定角度ずつ回転することにより、６条目第３操作部９３ｂ、第４操作部９４、第５操作部９５が順番に戻し操作される。
【００９６】
［１１］
次に、右及び左の操作ユニット８３，８４による第１〜１０ポンプ３１ａ〜３１ｊの停止操作について説明する（その１）。
図１及び図１０に示すように、プッシュオン・プッシュオフ型式の第１クラッチスイッチ８１ａ、第２クラッチスイッチ８１ｂ、第３クラッチスイッチ８１ｃ、第４クラッチスイッチ８１ｄ、第５クラッチスイッチ８１ｅが、操縦ハンドル７２の後側の下側に左右方向に横に並べて配置されており、第１〜５クラッチスイッチ８１ａ〜８１ｅの操作信号が制御装置７４に入力されている。
これにより、第１クラッチスイッチ８１ａから第５クラッチスイッチ８１ｅへ順番に押し操作（ＯＮ操作）した場合、制御装置７４により電動モータ８６，８７が以下の説明のように操作される。
【００９７】
図１０に示すように、第１〜１０ポンプ３１ａ〜３１ｊが駆動状態（すべてのシフト部材６６が駆動スプロケット６５に咬合した状態）であったとする。
この状態において図１１に示すように、第１クラッチスイッチ８１ａを押し操作（ＯＮ操作）すると、電動モータ８６が正方向に所定角度だけ回転して、第１カム部１０１により第１操作部９１が操作され、ワイヤ８９が引き操作され、第１及び第２ポンプ３１ａ，３１ｂのシフト部材６６が駆動スプロケット６５から離し操作されて、第１及び第２ポンプ３１ａ，３１ｂが停止する。
【００９８】
次に図１２に示すように、第２クラッチスイッチ８１ｂを押し操作（ＯＮ操作）すると電動モータ８６がさらに正方向に所定角度だけ回転して、第２カム部１０２により第２操作部９２が操作され、ワイヤ８９が引き操作され、第３及び第４ポンプ３１ｃ，３１ｄのシフト部材６６が駆動スプロケット６５から離し操作されて、第３及び第４ポンプ３１ｃ，３１ｄが停止する（第１カム部１０１により第１及び第２ポンプ３１ａ，３１ｂは停止状態に維持されている）。
【００９９】
次に図１３に示すように、第３クラッチスイッチ８１ｃを押し操作（ＯＮ操作）すると電動モータ８６がさらに正方向に所定角度だけ回転して、５条目用第３カム部１０３ａにより５条目用第３操作部９３ａが操作され、ワイヤ８９が引き操作され、第５ポンプ３１ｅのシフト部材６６が駆動スプロケット６５から離し操作されて、第５ポンプ３１ｅが停止する。
【０１００】
これと同時に電動モータ８７が正方向に所定角度だけ回転して、６条目用第３カム部１０３ｂにより６条目用第３操作部９３ｂが操作され、ワイヤ８９が引き操作され、第６ポンプ３１ｆのシフト部材６６が駆動スプロケット６５から離し操作されて、第６ポンプ３１ｆが停止する（第１及び第２カム部１０１，１０２により第１〜４ポンプ３１ａ〜３１ｄは停止状態に維持されている）。
【０１０１】
次に図１４に示すように、第４クラッチスイッチ８１ｄを押し操作（ＯＮ操作）すると電動モータ８７がさらに正方向に所定角度だけ回転して、第４カム部１０４により第４操作部９４が操作され、ワイヤ８９が引き操作され、第７及び第８ポンプ３１ｇ，３１ｈのシフト部材６６が駆動スプロケット６５から離し操作されて、第７及び第８ポンプ３１ｇ，３１ｈが停止する（第１及び第２カム部１０１，１０２、５条目及び６条目用第３カム部１０３ａ，１０３ｂにより、第１〜６ポンプ３１ａ〜３１ｆは停止状態に維持されている）。
【０１０２】
次に図１５に示すように、第５クラッチスイッチ８１ｅを押し操作（ＯＮ操作）すると電動モータ８７がさらに正方向に所定角度だけ回転して、第５カム部１０５により第５操作部９５が操作され、ワイヤ８９が引き操作され、第９及び第１０ポンプ３１ｉ，３１ｊのシフト部材６６が駆動スプロケット６５から離し操作されて、第９及び第１０ポンプ３１ｉ，３１ｊが停止する（第１及び第２カム部１０１，１０２、５条目及び６条目用第３カム部１０３ａ，１０３ｂ、第４カム部１０４により、第１〜８ポンプ３１ａ〜３１ｈは停止状態に維持されている）。
【０１０３】
以上の状態において、第１クラッチスイッチ８１ａを押し操作（ＯＮ操作）せずに、第２クラッチスイッチ８１ｂを押し操作（ＯＮ操作）するようなことはなく、図１０から図１５に示すように、第１クラッチスイッチ８１ａから第５クラッチスイッチ８１ｅへ順番に押し操作（ＯＮ操作）する。
【０１０４】
次に図１５から図１０に示すように、第５クラッチスイッチ８１ｅから第１クラッチスイッチ８１ａへ順番に押し操作（ＯＦＦ操作）すると、電動モータ８６，８７が逆方向に所定角度ずつ回転して、第１０及び第９ポンプ３１ｊ，３１ｉ、第８及び第７ポンプ３１ｈ，３１ｇ、第６及び第５ポンプ３１ｆ，３１ｅ、第４及び第３ポンプ３１ｄ，３１ｃ、第２及び第１ポンプ３１ｂ，３１ａが順番に駆動状態に戻る。
【０１０５】
［１２］
次に、右及び左の操作ユニット８３，８４による第１〜１０ポンプ３１ａ〜３１ｊの停止操作について説明する（その２）。
第５クラッチスイッチ８１ｅから第１クラッチスイッチ８１ａへ順番に押し操作（ＯＮ操作）した場合、制御装置７４により電動モータ８６，８７が以下の説明のように操作される。
【０１０６】
図１０に示すように、第１〜１０ポンプ３１ａ〜３１ｊが駆動状態（すべてのシフト部材６６が駆動スプロケット６５に咬合した状態）であったとする。
この状態において、第５クラッチスイッチ８１ｅを押し操作（ＯＮ操作）すると、電動モータ８７が逆方向に所定角度だけ回転して、第５カム部１０５により第５操作部９５が操作され、ワイヤ８９が引き操作され、第１０及び第９ポンプ３１ｊ，３１ｉのシフト部材６６が駆動スプロケット６５から離し操作されて、第１０及び第９ポンプ３１ｊ，３１ｉが停止する。
【０１０７】
次に、第４クラッチスイッチ８１ｄを押し操作（ＯＮ操作）すると、電動モータ８７がさらに逆方向に所定角度だけ回転して、第４カム部１０４により第４操作部９４が操作され、ワイヤ８９が引き操作され、第８及び第７ポンプ３１ｈ，３１ｇのシフト部材６６が駆動スプロケット６５から離し操作されて、第８及び第７ポンプ３１ｈ，３１ｇが停止する（第５カム部１０５により第１０及び第９ポンプ３１ｊ，３１ｉは停止状態に維持されている）。
【０１０８】
次に、第３クラッチスイッチ８１ｃを押し操作（ＯＮ操作）すると、電動モータ８７がさらに逆方向に所定角度だけ回転して、６条目用第３カム部１０３ｂにより６条目用第３操作部９３ｂが操作され、ワイヤ８９が引き操作され、第６ポンプ３１ｆのシフト部材６６が駆動スプロケット６５から離し操作されて、第６ポンプ３１ｆが停止する。
【０１０９】
これと同時に電動モータ８６が逆方向に所定角度だけ回転して、５条目用第３カム部１０３ａにより５条目用第３操作部９３ａが操作され、ワイヤ８９が引き操作され、第５ポンプ３１ｅのシフト部材６６が駆動スプロケット６５から離し操作されて、第５ポンプ３１ｅが停止する（第５及び第４カム部１０５，１０４により第１０〜７ポンプ３１ｊ〜３１ｇは停止状態に維持されている）。
【０１１０】
次に、第２クラッチスイッチ８１ｂを押し操作（ＯＮ操作）すると、電動モータ８６がさらに逆方向に所定角度だけ回転して、第２カム部１０２により第２操作部９２が操作され、ワイヤ８９が引き操作され、第４及び第３ポンプ３１ｄ，３１ｃのシフト部材６６が駆動スプロケット６５から離し操作されて、第４及び第３ポンプ３１ｄ，３１ｃが停止する（第５及び第４カム部１０５，１０４、６条目及び５条目用第３カム部１０３ｂ，１０３ａにより、第１０〜５ポンプ３１ｊ〜３１ｅは停止状態に維持されている）。
【０１１１】
次に、第１クラッチスイッチ８１ａを押し操作（ＯＮ操作）すると、電動モータ８６がさらに逆方向に所定角度だけ回転して、第１カム部１０１により第１操作部９１が操作され、ワイヤ８９が引き操作され、第２及び第１ポンプ３１ｂ，３１ａのシフト部材６６が駆動スプロケット６５から離し操作されて、第２及び第１ポンプ３１ｂ，３１ａが停止する（第５及び第４カム部１０５，１０４、６条目及び５条目用第３カム部１０３ｂ，１０３ａ、第２カム部１０２により、第１０〜３ポンプ３１ｊ〜３１ｃは停止状態に維持されている）。
【０１１２】
以上の状態において、第５クラッチスイッチ８１ｅを押し操作（ＯＮ操作）せずに、第４クラッチスイッチ８１ｄを押し操作（ＯＮ操作）するようなことはなく、第５クラッチスイッチ８１ｅから第１クラッチスイッチ８１ａへ順番に押し操作（ＯＮ操作）する。
次に第１クラッチスイッチ８１ａから第５クラッチスイッチ８１ｅへ順番に押し操作（ＯＦＦ操作）すると、電動モータ８６，８７が正方向に所定角度ずつ回転して、第１及び第２ポンプ３１ａ，３１ｂ、第３及び第４ポンプ３１ｃ，３１ｄ、第５及び第６ポンプ３１ｅ，３１ｆ、第７及び第８ポンプ３１ｇ，３１ｈ、第９及び第１０ポンプ３１ｉ，３１ｊが順番に駆動状態に戻る。
【０１１３】
［１３］
次に、第１，２，３，４，５少数条クラッチ９０ａ，９０ｂ，９０ｃ，９０ｄ，９０ｅ及び第１，２，３，４，５縦送りクラッチ９６ａ，９６ｂ，９６ｃ，９６ｄ，９６ｅについて説明する。
図２及び図１０に示すように、伝動ケース６（１条目及び２条目、３条目及び４条目、５条目及び６条目、７条目及び８条目、９条目及び１０条目）の各々の植付ケース７の支持部に、第１〜５少数条クラッチ９０ａ〜９０ｅが左の伝動ケース６から順番に備えられている。第１〜５少数条クラッチ９０ａ〜９０ｅは１つの伝動ケース６において、２つの植付ケース７に動力を伝動及び遮断状態に操作することにより、２つの植付ケース７（１条目及び２条目、３条目及び４条目、５条目及び６条目、７条目及び８条目、９条目及び１０条目）を作動及び停止操作する。
【０１１４】
図２に示すように、苗のせ台１０の苗のせ面の各々に、一対の無端回動ベルト型式の縦送り機構９７が備えられており、苗のせ台１０の隣接する２つの苗のせ面の縦送り機構９７が一体で作動するように構成されて、５組の縦送り機構９７（１条目及び２条目、３条目及び４条目、５条目及び６条目、７条目及び８条目、９条目及び１０条目）が構成されている。苗のせ台１０が右及び左の往復横送り駆動の移動限度に達すると、縦送り機構９７が所定量だけ駆動されて、苗のせ台１０に載置された苗が苗のせ台１０の下部に送られる。
【０１１５】
図１０に示すように、５組の縦送り機構９７の各々に対して、第１〜５縦送りクラッチ９６ａ〜９６ｅが左から順番に備えられており、第１〜５縦送りクラッチ９６ａ〜９６ｅは、５組の縦送り機構９７（１条目及び２条目、３条目及び４条目、５条目及び６条目、７条目及び８条目、９条目及び１０条目）を作動及び停止操作する。
【０１１６】
これにより、図２及び図４に示すように、第１及び第２ポンプ３１ａ，３１ｂと、第１少数条クラッチ９０ａ及び第１縦送りクラッチ９６ａとが対応している。第３及び第４ポンプ３１ｃ，３１ｄと、第２少数条クラッチ９０ｂ及び第２縦送りクラッチ９６ｂとが対応している。第５及び第６ポンプ３１ｅ，３１ｆと、第３少数条クラッチ９０ｃ及び第３縦送りクラッチ９６ｃとが対応している。第７及び第８ポンプ３１ｇ，３１ｈと、第４少数条クラッチ９０ｄ及び第４縦送りクラッチ９６ｄとが対応している。第９及び第１０ポンプ３１ｉ，３１ｊと、第５少数条クラッチ９０ｅ及び第５縦送りクラッチ９６ｅとが対応している。
【０１１７】
［１４］
次に、第１〜５少数条クラッチ９０ａ〜９０ｅ及び第１〜５縦送りクラッチ９６ａ〜９６ｅの操作について説明する。
図１０に示すように、第１クラッチスイッチ８１ａから第５クラッチスイッチ８１ｅへ順番に押し操作（ＯＮ操作）した場合、制御装置７４及び電動モータ９８によって、第１〜５少数条クラッチ９０ａ〜９０ｅ及び第１〜５縦送りクラッチ９６ａ〜９６ｅが以下の説明のように操作される。
【０１１８】
図１０に示すように、第１〜５少数条クラッチ９０ａ〜９０ｅ及び第１〜５縦送りクラッチ９６ａ〜９６ｅが伝動状態であったとする。
この状態において第１クラッチスイッチ８１ａを押し操作（ＯＮ操作）すると、電動モータ９８により第１少数条及び縦送りクラッチ９０ａ，９６ａが遮断状態に操作される。
【０１１９】
次に第２クラッチスイッチ８１ｂを押し操作（ＯＮ操作）すると、電動モータ９８により第２少数条及び縦送りクラッチ９０ｂ，９６ｂが遮断状態に操作される（第１少数条及び縦送りクラッチ９０ａ，９６ａは遮断状態に維持されている）。
次に第３クラッチスイッチ８１ｃを押し操作（ＯＮ操作）すると、電動モータ９８により第３少数条及び縦送りクラッチ９０ｃ，９６ｃが遮断状態に操作される（第１，２少数条及び縦送りクラッチ９０ａ，９０ｂ，９６ａ，９６ｂは遮断状態に維持されている）。
【０１２０】
次に第４クラッチスイッチ８１ｄを押し操作（ＯＮ操作）すると、電動モータ９８により第４少数条及び縦送りクラッチ９０ｄ，９６ｄが遮断状態に操作される（第１，２，３少数条及び縦送りクラッチ９０ａ，９０ｂ，９０ｃ，９６ａ，９６ｂ，９６ｃは遮断状態に維持されている）。
【０１２１】
次に第５クラッチスイッチ８１ｅを押し操作（ＯＮ操作）すると、電動モータ９８により第５少数条及び縦送りクラッチ９０ｅ，９６ｅが遮断状態に操作される（第１，２，３，４少数条及び縦送りクラッチ９０ａ，９０ｂ，９０ｃ，９０ｄ，９６ａ，９６ｂ，９６ｃ，９６ｄは遮断状態に維持されている）。
【０１２２】
以上の状態において、第１クラッチスイッチ８１ａを押し操作（ＯＮ操作）せずに、第２クラッチスイッチ８１ｂを押し操作（ＯＮ操作）するようなことはなく、図１０に示すように、第１クラッチスイッチ８１ａから第５クラッチスイッチ８１ｅへ順番に押し操作（ＯＮ操作）する。
【０１２３】
次に図１０に示すように、第５クラッチスイッチ８１ｅから第１クラッチスイッチ８１ａへ順番に押し操作（ＯＦＦ操作）すると、電動モータ９８により、第５少数条及び縦送りクラッチ９０ｅ，９６ｅ、第４少数条及び縦送りクラッチ９０ｄ，９６ｄ、第３少数条及び縦送りクラッチ９０ｃ，９６ｃ、第２少数条及び縦送りクラッチ９０ｂ，９６ｂ、第１少数条及び縦送りクラッチ９０ａ，９６ａが順番に伝動状態に操作される。
【０１２４】
前述と同様に、第１〜５少数条クラッチ９０ａ〜９０ｅ及び第１〜５縦送りクラッチ９６ａ〜９６ｅの伝動状態において、第５クラッチスイッチ８１ｅから第１クラッチスイッチ８１ａへ順番に押し操作（ＯＮ操作）すると、第５少数条及び縦送りクラッチ９０ｅ，９６ｅ、第４少数条及び縦送りクラッチ９０ｄ，９６ｄ、第３少数条及び縦送りクラッチ９０ｃ，９６ｃ、第２少数条及び縦送りクラッチ９０ｂ，９６ｂ、第１少数条及び縦送りクラッチ９０ａ，９６ａが順番に遮断状態に操作される。
【０１２５】
次に、第１クラッチスイッチ８１ａから第５クラッチスイッチ８１ｅへ順番に押し操作（ＯＦＦ操作）すると、第１少数条及び縦送りクラッチ９０ａ，９６ａ、第２少数条及び縦送りクラッチ９０ｂ，９６ｂ、第３少数条及び縦送りクラッチ９０ｃ，９６ｃ、第４少数条及び縦送りクラッチ９０ｄ，９６ｄ、第５少数条及び縦送りクラッチ９０ｅ，９６ｅが順番に伝動状態に操作される。
【０１２６】
［発明の実施の第１別形態］
前述の［発明を実施するための最良の形態］において、右及び左の操作ユニット８３，８４、電動モータ９８に代えて、以下に示すように構成してもよい。
図１６に示すように、右及び左の操作ユニット８３，８４と電動モータ９８とを廃止して、人為的に操作される第１少数条レバー１１１（第１操作部に相当）、第２少数条レバー１１２（第２操作部に相当）、第３少数条レバー１１３（第３操作部に相当）、第４少数条レバー１１４（第４操作部に相当）、第５少数条レバー１１５（第５操作部に相当）が、機体における運転座席１１の後側部分に備えられている。
【０１２７】
図１６に示すように、第１少数条レバー１１１と第１及び第２ポンプ３１ａ，３１ｂの接続部材８８とに亘ってワイヤ８９（接続機構に相当）が接続され、第１少数条レバー１１１と第１少数条及び縦送りクラッチ９０ａ，９６ａとに亘ってワイヤ９９が接続されている。
第２少数条レバー１１２と第３及び第４ポンプ３１ｃ，３１ｄの接続部材８８とに亘ってワイヤ８９（接続機構に相当）が接続され、第２少数条レバー１１２と第２少数条及び縦送りクラッチ９０ｂ，９６ｂとに亘ってワイヤ９９が接続されている。
【０１２８】
図１６に示すように、第３少数条レバー１１３と第５ポンプ３１ｅの接続部材８８及び第６ポンプ３１ｆの接続部材８８とに亘ってワイヤ８９（接続機構に相当）が接続され、第３少数条レバー１１３と第３少数条及び縦送りクラッチ９０ｃ，９６ｃとに亘ってワイヤ９９が接続されている。
第４少数条レバー１１４と第７及び第８ポンプ３１ｇ，３１ｈの接続部材８８とに亘ってワイヤ８９（接続機構に相当）が接続され、第４少数条レバー１１４と第４少数条及び縦送りクラッチ９０ｄ，９６ｄとに亘ってワイヤ９９が接続されている。
第５少数条レバー１１５と第９及び第１０ポンプ３１ｉ，３１ｊの接続部材８８とに亘ってワイヤ８９（接続機構に相当）が接続され、第５少数条レバー１１５と第５少数条及び縦送りクラッチ９０ｅ，９６ｅとに亘ってワイヤ９９が接続されている。
【０１２９】
以上の構造によって、第１〜５少数条レバー１１１〜１１５を操作することにより、第１及び第２ポンプ３１ａ，３１ｂ、第３及び第４ポンプ３１ｃ，３１ｄ、第５及び第６ポンプ３１ｅ，３１ｆ、第７及び第８ポンプ３１ｇ，３１ｈ、第９及び第１０ポンプ３１ｉ，３１ｊを駆動及び停止状態に操作することができるのであり、第１〜５少数条クラッチ９０ａ〜９０ｅ、第１〜５縦送りクラッチ９６ａ〜９６ｅを伝動及び遮断状態に操作することができる。
【０１３０】
［発明の実施の第２別形態］
前述の［発明を実施するための最良の形態］［発明の実施の第１別形態］では、１０条型式の乗用型田植機を示している。これに対して、６条型式の乗用型田植機について以下に説明する。
【０１３１】
［１］
６条型式の乗用型田植機の苗植付装置５は、３個の伝動ケース６、伝動ケース６の後部の右及び左側部に回転駆動自在に支持された植付ケース７、植付ケース７の両端に備えられた一対の植付アーム８、３個の接地フロート９及び苗のせ台１０等を備えて構成されている。
【０１３２】
図１７に示すように、機体の進行方向に向かって、左から１，２，３，４，５，６条目（（１）〜（６））とする。１条目〜６条目に対応するように第１〜６ノズル３２ａ〜３２ｆ（供給位置に相当）が備えられており、３条目（第３ノズル３２ｃ）と４条目（第４ノズル３２ｄ）との間に、機体の左右中央位置が位置する。
【０１３３】
［２］
次に［発明の実施の第２別形態］において、右及び左の肥料タンク２８，２９、第１〜６ポンプ３１ａ〜３１ｆ、右及び左の操作ユニット８３，８４について説明する。
図１７及び図１８に示すように、左の肥料タンク２８（第１貯留部に相当）、第１，２，３ポンプ３１ａ，３１ｂ，３１ｃ（繰り出し部に相当）、左の操作ユニット８３が機体の左側部の前部に備えられている。右の肥料タンク２９（第２貯留部に相当）、第４，５，６ポンプ３１ｄ，３１ｅ，３１ｆ（繰り出し部に相当）、右の操作ユニット８４が機体の左側部の前部に備えられている。
【０１３４】
図１８に示すように、左の操作ユニット８３は、電動モータ８６（第１アクチュエータに相当）、第１操作部１２１、３条目用第２操作部１２２ａ、第１カム部１３１、３条目用第２カム部１３２ａ（第２操作部に相当）が備えられている。電動モータ８６により、第１カム部１３１及び３条目用第２カム部１３２ａが一体で正逆に回転駆動されるのであり、第１カム部１３１及び３条目用第２カム部１３２ａにより、第１操作部１２１及び３条目用第２操作部１２２ａが操作される。
【０１３５】
図１８に示すように、右の操作ユニット８４は、電動モータ８７（第２アクチュエータに相当）、４条目用第２操作部１２２ｂ（第２操作部に相当）、第３操作部１２３、４条目用第２カム部１３２ｂ、第３カム部１３３が備えられている。電動モータ８７により、４条目用第２カム部１３２ｂ及び第３カム部１３３が一体で正逆に回転駆動されるのであり、４条目用第２カム部１３２ｂ及び第３カム部１３３により、４条目用第２操作部１２２ｂ及び第３操作部１２３が操作される。
【０１３６】
この場合、電動モータ８６と電動モータ８７、第１カム部１３１と４条目用第２カム部１３２ｂ、３条目用第２カム部１３２ａと第３カム部１２３、第１操作部１２１と４条目用第２操作部１２２ｂ、３条目用第２操作部１２２ａと第３操作部１２３とは、名称が異なるだけで同じものであり、右及び左の操作ユニット８３，８４は全く同じものである。
【０１３７】
図１８に示すように、第１及び第２ポンプ３１ａ，３１ｂの操作アーム７９（シフト部材６６）に亘って一つの接続部材８８が接続され、第３ポンプ３１ｃの操作アーム７９（シフト部材６６）に一つの接続部材８８が接続されている。
第１操作部１２１と第１及び第２ポンプ３１ａ，３１ｂの接続部材８８とに亘ってワイヤ８９（接続機構に相当）が接続され、３条目用第２操作部１２２ａと第３ポンプ３１ｃの接続部材８８とに亘ってワイヤ８９（接続機構に相当）が接続されている。
【０１３８】
図１８に示すように、第４ポンプ３１ｄの操作アーム７９（シフト部材６６）に一つの接続部材８８が接続され、第５及び第６ポンプ３１ｅ，３１ｆの操作アーム７９（シフト部材６６）に亘って一つの接続部材８８が接続されている。
４条目用第２操作部１２２ｂと第４ポンプ３１ｄの接続部材８８とに亘ってワイヤ８９（接続機構に相当）が接続され、第３操作部１２３と第５及び第６ポンプ３１ｅ，３１ｆの接続部材８８とに亘ってワイヤ８９（接続機構に相当）が接続されている。
【０１３９】
［３］
次に［発明の実施の第２別形態］において、右及び左の操作ユニット８３，８４の作動について説明する。
図１８に示すように、左の操作ユニット８３において、電動モータ８６が中立位置にあると第１操作部１２１及び３条目用第２操作部１２２ａは操作されていない状態となる。
電動モータ８６が中立位置から正方向に所定角度ずつ回転することにより、第１操作部１２１、３条目用第２操作部１２２ａが順番に操作されるのであり、この状態から電動モータ８６が中立位置に向けて逆方向に所定角度ずつ回転することにより、３条目用第２操作部１２２ａ、第１操作部１２１が順番に戻し操作される。
【０１４０】
図１８に示すように、電動モータ８６が中立位置から逆方向に所定角度ずつ回転することによって、３条目用第２操作部１２２ａ、第１操作部１２１が順番に操作されるのであり、この状態から電動モータ８６が中立位置に向けて正方向に所定角度ずつ回転することにより、第１操作部１２１、３条目用第２操作部１２２ａが順番に戻し操作される。
【０１４１】
図１８に示すように、右の操作ユニット８４において、電動モータ８７が中立位置にあると４条目用第２操作部１２２ｂ及び第３操作部１２３は操作されていない状態となる。
電動モータ８７が中立位置から正方向に所定角度ずつ回転することにより、４条目用第２操作部１２２ｂ、第３操作部１２３が順番に操作されるのであり、この状態から電動モータ８７が中立位置に向けて逆方向に所定角度ずつ回転することにより、第３操作部１２３、４条目用第２操作部１２２ｂが順番に戻し操作される。
【０１４２】
図１８に示すように、電動モータ８７が中立位置から逆方向に所定角度ずつ回転することによって、第３操作部１２３、４条目用第２操作部１２２ｂが順番に操作されるのであり、この状態から電動モータ８７が中立位置に向けて正方向に所定角度ずつ回転することにより、４条目用第２操作部１２２ｂ、第２操作部１２３が順番に戻し操作される。
【０１４３】
［４］
次に［発明の実施の第２別形態］において、右及び左の操作ユニット８３，８４による第１〜６ポンプ３１ａ〜３１ｆの停止操作について説明する（その１）。
図１及び図１８に示すように、プッシュオン・プッシュオフ型式の第１クラッチスイッチ８１ａ、第２クラッチスイッチ８１ｂ、第３クラッチスイッチ８１ｃが、操縦ハンドル７２の後側の下側に左右方向に横に並べて配置されており、第１，２，３クラッチスイッチ８１ａ，８１ｂ，８１ｃの操作信号が制御装置７４に入力されている。
これにより、第１，２，３クラッチスイッチ８１ａ，８１ｂ，８１ｃを順番に押し操作（ＯＮ操作）した場合、制御装置７４により電動モータ８６，８７が以下の説明のように操作される。
【０１４４】
図１８に示すように、第１〜６ポンプ３１ａ〜３１ｆが駆動状態（すべてのシフト部材６６が駆動スプロケット６５に咬合した状態）であったとする。
この状態において、第１クラッチスイッチ８１ａを押し操作（ＯＮ操作）すると、電動モータ８６が正方向に所定角度だけ回転して、第１カム部１３１により第１操作部１２１が操作され、ワイヤ８９が引き操作され、第１及び第２ポンプ３１ａ，３１ｂのシフト部材６６が駆動スプロケット６５から離し操作されて、第１及び第２ポンプ３１ａ，３１ｂが停止する。
【０１４５】
次に図１８に示すように、第２クラッチスイッチ８１ｂを押し操作（ＯＮ操作）すると電動モータ８６がさらに正方向に所定角度だけ回転して、３条目用第２カム部１３２ａにより３条目用第２操作部１２２ａが操作され、ワイヤ８９が引き操作され、第３ポンプ３１ｃのシフト部材６６が駆動スプロケット６５から離し操作されて、第３ポンプ３１ｃが停止する。
【０１４６】
これと同時に電動モータ８７が正方向に所定角度だけ回転して、４条目用第２カム部１３２ｂにより４条目用第２操作部１２２ｂが操作され、ワイヤ８９が引き操作され、第４ポンプ３１ｄのシフト部材６６が駆動スプロケット６５から離し操作されて、第４ポンプ３１ｄが停止する（第１カム部１３１により第１及び第２ポンプ３１ａ，３１ｂは停止状態に維持されている）。
【０１４７】
次に図１８に示すように、第３クラッチスイッチ８１ｃを押し操作（ＯＮ操作）すると電動モータ８７がさらに正方向に所定角度だけ回転して、第３カム部１３３により第３操作部１２３が操作され、ワイヤ８９が引き操作され、第５及び第６ポンプ３１ｅ，３１ｆのシフト部材６６が駆動スプロケット６５から離し操作されて、第５及び第６ポンプ３１ｅ，３１ｆが停止する（第１カム部１３１、３条目及び４条目用第２カム部１３２ａ，１３２ｂにより、第１〜４ポンプ３１ａ〜３１ｄは停止状態に維持されている）。
【０１４８】
次に図１８に示すように、第３，２，１クラッチスイッチ８１ｃ，８１ｂ，８１ａを順番に押し操作（ＯＦＦ操作）すると、電動モータ８６，８７が逆方向に所定角度ずつ回転して、第６及び第５ポンプ３１ｆ，３１ｅ、第４及び第３ポンプ３１ｄ，３１ｃ、第２及び第１ポンプ３１ｂ，３１ａが順番に駆動状態に戻る。
【０１４９】
［５］
次に［発明の実施の第２別形態］において、右及び左の操作ユニット８３，８４による第１〜６ポンプ３１ａ〜３１ｆの停止操作について説明する（その２）。
第３，２，１クラッチスイッチ８１ｃ，８１ｂ，８１ａを順番に押し操作（ＯＮ操作）した場合、制御装置７４により電動モータ８６，８７が以下の説明のように操作される。
【０１５０】
図１８に示すように、第１〜６ポンプ３１ａ〜３１ｆが駆動状態（すべてのシフト部材６６が駆動スプロケット６５に咬合した状態）であったとする。
この状態において、第３クラッチスイッチ８１ｃを押し操作（ＯＮ操作）すると、電動モータ８７が逆方向に所定角度だけ回転して、第３カム部１３３により第３操作部１２３が操作され、ワイヤ８９が引き操作され、第６及び第５ポンプ３１ｆ，３１ｅのシフト部材６６が駆動スプロケット６５から離し操作されて、第６及び第５ポンプ３１ｆ，３１ｅが停止する。
【０１５１】
次に図１８に示すように、第２クラッチスイッチ８１ｂを押し操作（ＯＮ操作）すると電動モータ８７がさらに逆方向に所定角度だけ回転して、４条目用第２カム部１３２ｂにより４条目用第２操作部１２２ｂが操作され、ワイヤ８９が引き操作され、第４ポンプ３１ｄのシフト部材６６が駆動スプロケット６５から離し操作されて、第４ポンプ３１ｄが停止する。
【０１５２】
これと同時に電動モータ８６が逆方向に所定角度だけ回転して、３条目用第２カム部１３２ａにより３条目用第２操作部１２２ａが操作され、ワイヤ８９が引き操作され、第３ポンプ３１ｃのシフト部材６６が駆動スプロケット６５から離し操作されて、第３ポンプ３１ｃが停止する（第３カム部１３３により第６及び第５ポンプ３１ｆ，３１ｅは停止状態に維持されている）。
【０１５３】
次に図１８に示すように、第１クラッチスイッチ８１ａを押し操作（ＯＮ操作）すると電動モータ８６がさらに逆方向に所定角度だけ回転して、第１カム部１３１により第１操作部１２１が操作され、ワイヤ８９が引き操作され、第２及び第１ポンプ３１ｂ，３１ａのシフト部材６６が駆動スプロケット６５から離し操作されて、第２及び第１ポンプ３１ｂ，３１ａが停止する（第３カム部１３３、４条目及び３条目用第２カム部１３２ｂ，１３２ａにより、第６〜３ポンプ３１ｊ〜３１ｃは停止状態に維持されている）。
【０１５４】
次に図１８に示すように、第１，２，３クラッチスイッチ８１ａ，８１ｂ，８１ｃを順番に押し操作（ＯＦＦ操作）すると、電動モータ８６，８７が正方向に所定角度ずつ回転して、第１及び第２ポンプ３１ａ，３１ｂ、第３及び第４ポンプ３１ｃ，３１ｄ、第５及び第６ポンプ３１ｅ，３１ｆが順番に駆動状態に戻る。
【０１５５】
［６］
次に［発明の実施の第２別形態］において、第１，２，３少数条クラッチ９０ａ，９０ｂ，９０ｃ及び第１，２，３縦送りクラッチ９６ａ，９６ｂ，９６ｃについて説明する。
図１８に示すように、第１，２，３少数条クラッチ９０ａ，９０ｂ，９０ｃが左の伝動ケース６から順番に備えられており、第１〜３少数条クラッチ９０ａ，９０ｂ，９０ｃは１つの伝動ケース６において、２つの植付ケース７に動力を伝動及び遮断状態に操作することにより、２つの植付ケース７（１条目及び２条目、３条目及び４条目、５条目及び６条目）を作動及び停止操作する。
【０１５６】
３組の縦送り機構９７の各々に対して、第１，２，３縦送りクラッチ９６ａ，９６ｂ，９６ｃが左から順番に備えられており、第１，２，３縦送りクラッチ９６ａ，９６ｂ，９６ｃは、３組の縦送り機構９７（１条目及び２条目、３条目及び４条目、５条目及び６条目）を作動及び停止操作する。
【０１５７】
これにより、図１８に示すように、第１及び第２ポンプ３１ａ，３１ｂと、第１少数条クラッチ９０ａ及び第１縦送りクラッチ９６ａとが対応している。第３及び第４ポンプ３１ｃ，３１ｄと、第２少数条クラッチ９０ｂ及び第２縦送りクラッチ９６ｂとが対応している。第５及び第６ポンプ３１ｅ，３１ｆと、第３少数条クラッチ９０ｃ及び第３縦送りクラッチ９６ｃとが対応している。
【０１５８】
［７］
次に［発明の実施の第２別形態］において、第１，２，３少数条クラッチ９０ａ，９０ｂ，９０ｃ及び第１，２，３縦送りクラッチ９６ａ，９６ｂ，９６ｃの操作について説明する。
第１，２，３クラッチスイッチ８１ａ，８１ｂ，８１ｃを順番に押し操作（ＯＮ操作）した場合、制御装置７４及び電動モータ９８によって、第１，２，３少数条クラッチ９０ａ，９０ｂ，９０ｃ及び第１，２，３縦送りクラッチ９６ａ，９６ｂ，９６ｃが以下の説明のように操作される。
【０１５９】
図１８に示すように、第１，２，３少数条クラッチ９０ａ，９０ｂ，９０ｃ及び第１，２，３縦送りクラッチ９６ａ，９６ｂ，９６ｃが伝動状態であったとする。
この状態において第１クラッチスイッチ８１ａを押し操作（ＯＮ操作）すると、電動モータ９８により第１少数条及び縦送りクラッチ９０ａ，９６ａが遮断状態に操作される。
【０１６０】
次に図１８に示すように、第２クラッチスイッチ８１ｂを押し操作（ＯＮ操作）すると電動モータ９８により第２少数条及び縦送りクラッチ９０ｂ，９６ｂが遮断状態に操作される（第１少数条及び縦送りクラッチ９０ａ，９６ａは遮断状態に維持されている）。
次に第３クラッチスイッチ８１ｃを押し操作（ＯＮ操作）すると、電動モータ９８により第３少数条及び縦送りクラッチ９０ｃ，９６ｃが遮断状態に操作される（第１，２少数条及び縦送りクラッチ９０ａ，９０ｂ，９６ａ，９６ｂは遮断状態に維持されている）。
【０１６１】
次に図１８に示すように、第３，２，１クラッチスイッチ８１ｃ，８１ｂ，８１ａを順番に押し操作（ＯＦＦ操作）すると、電動モータ９８により、第３少数条及び縦送りクラッチ９０ｃ，９６ｃ、第２少数条及び縦送りクラッチ９０ｂ，９６ｂ、第１少数条及び縦送りクラッチ９０ａ，９６ａが順番に伝動状態に操作される。
【０１６２】
前述と同様に第１，２，３少数条クラッチ９０ａ，９０ｂ，９０ｃ及び第１，２，３縦送りクラッチ９６ａ，９６ｂ，９６ｃの伝動状態において、図１８に示すように、第３，２，１クラッチスイッチ８１ｃ，８１ｂ，８１ａを順番に押し操作（ＯＮ操作）すると、第３少数条及び縦送りクラッチ９０ｃ，９６ｃ、第２少数条及び縦送りクラッチ９０ｂ，９６ｂ、第１少数条及び縦送りクラッチ９０ａ，９６ａが順番に遮断状態に操作される。
【０１６３】
次に図１８に示すように、第１，２，３クラッチスイッチ８１ａ，８１ｂ，８１ｃを順番に押し操作（ＯＦＦ操作）すると、第１少数条及び縦送りクラッチ９０ａ，９６ａ、第２少数条及び縦送りクラッチ９０ｂ，９６ｂ、第３少数条及び縦送りクラッチ９０ｃ，９６ｃが順番に伝動状態に操作される。
【０１６４】
［発明の実施の第３別形態］
前述の［発明の実施の第２別形態］において、右及び左の操作ユニット８３，８４、電動モータ９８に代えて、以下に示すように構成してもよい。
図１９に示すように、右及び左の操作ユニット８３，８４と電動モータ９８とを廃止して、人為的に操作される第１少数条レバー１１１（第１操作部に相当）、第２少数条レバー１１２（第２操作部に相当）、第３少数条レバー１１３（第３操作部に相当）が、機体における運転座席１１の後側部分に備えられている。
【０１６５】
図１９に示すように、第１少数条レバー１１１と第１及び第２ポンプ３１ａ，３１ｂの接続部材８８とに亘ってワイヤ８９（接続機構に相当）が接続され、第１少数条レバー１１１と第１少数条及び縦送りクラッチ９０ａ，９６ａとに亘ってワイヤ９９が接続されている。
【０１６６】
図１９に示すように、第２少数条レバー１１２と第３ポンプ３１ｃの接続部材８８及び第４ポンプ３１ｄの接続部材８８とに亘ってワイヤ８９（接続機構に相当）が接続され、第２少数条レバー１１３と第２少数条及び縦送りクラッチ９０ｂ，９６ｂとに亘ってワイヤ９９が接続されている。
第３少数条レバー１１３と第５及び第６ポンプ３１ｅ，３１ｆの接続部材８８とに亘ってワイヤ８９（接続機構に相当）が接続され、第３少数条レバー１１３と第５少数条及び縦送りクラッチ９０ｃ，９６ｃとに亘ってワイヤ９９が接続されている。
【０１６７】
以上の構造によって、第１，２，３少数条レバー１１１，１１２，１１３を操作することにより、第１及び第２ポンプ３１ａ，３１ｂ、第３及び第４ポンプ３１ｃ，３１ｄ、第５及び第６ポンプ３１ｅ，３１ｆを駆動及び停止状態に操作することができるのであり、第１，２，３少数条クラッチ９０ａ，９０ｂ，９０ｃ及び第１，２，３縦送りクラッチ９６ａ，９６ｂ，９６ｃを伝動及び遮断状態に操作することができる。
【０１６８】
［発明の実施の第４別形態］
前述の［発明を実施するための最良の形態］［発明の実施の第１別形態］［発明の実施の第２別形態］［発明の実施の第３別形態］において、第１〜第５クラッチスイッチ８１ａ〜８１ｅ（第１〜５少数条レバー１１１〜１１５）の操作により、第１〜１０ポンプ３１ａ〜３１ｊを停止状態とするのではなく、以下に示すように構成してもよい。
【０１６９】
図７において、吐出部６８と吸引部５４（又は左の肥料タンク２８（右の肥料タンク２９）とを接続するバイパス路（図示せず）と、バイパス路を開閉する開閉弁（図示せず）とを備える。
これにより、第１〜第５クラッチスイッチ８１ａ〜８１ｅ（第１〜５少数条レバー１１１〜１１５）の操作によって、第１〜１０ポンプ３１ａ〜３１ｊを駆動状態に維持した状態で開閉弁を開操作して、第１〜１０ポンプ３１ａ〜３１ｊからの液状の肥料を吸引部５４（又は左の肥料タンク２８（右の肥料タンク２９））に循環させることより、液状の肥料が第１〜１０ノズル３２ａ〜３２ｊに供給されないようにする（停止状態に相当）。
【０１７０】
［発明の実施の第５別形態］
本発明は、液状の肥料を田面に供給する乗用型田植機ばかりではなく、粉粒状の肥料や薬剤を田面に供給するように構成した乗用型田植機にも適用できる。
この場合、粉粒状の肥料や薬剤を貯留する右及び左のホッパー（図示せず）（第１及び第２貯留部に相当）、右及び左のホッパーから粉粒状の肥料や薬剤を繰り出す第１〜１０繰り出し部（第１〜６繰り出し部）を備え、第１〜１０作溝器（第１〜６作溝器）により田面に平成した溝に、第１〜１０繰り出し部（第１〜６繰り出し部）からの粉粒状の肥料や薬剤を供給する構成となる。
【０１７１】
本発明は、液状の肥料を田面に供給する乗用型田植機ばかりではなく、作物の種籾を田面に供給するように構成した乗用型直播機にも適用できる。
この場合、種籾を貯留する右及び左のホッパー（図示せず）（第１及び第２貯留部に相当）、右及び左のホッパーから種籾を繰り出す第１〜１０繰り出し部（第１〜６繰り出し部）を備え、第１〜１０作溝器（第１〜６作溝器）により田面に平成した溝に、第１〜１０繰り出し部（第１〜６繰り出し部）からの種籾を供給する構成、又は第１〜１０作溝器（第１〜６作溝器）を備えずに、第１〜１０繰り出し部（第１〜６繰り出し部）から種籾を田面の表面に直接に供給する構成となる。
【産業上の利用可能性】
【０１７２】
本発明は、液状の肥料を使用する乗用型田植機ばかりではなく、液状の薬剤、粉粒状の肥料や薬剤、種籾を使用する乗用型田植機や乗用型直播機にも適用できる。
【符号の説明】
【０１７３】
２８                    第１貯留部
２９                    第２貯留部
３１ａ〜３１ｅ          １条目〜５条目の繰り出し部
３１ｆ〜３１ｊ          ６条目〜１０条目の繰り出し部
６６                    供給切換部
８６                    第１アクチュエータ
８７                    第２アクチュエータ
８９                    接続機構
９１，１１１            第１操作部（１０条用）
９２，１１２            第２操作部（１０条用）
９３ａ                  第３操作部、５条目用第３操作部（１０条用）
９３ｂ                  第３操作部、６条目用第３操作部（１０条用）
１１３                  第３操作部（１０条用）
９４，１１４            第４操作部（１０条用）
９５，１１５            第５操作部（１０条用）
３１ａ，３１ｂ，３１ｃ  １，２，３条目の繰り出し部
３１ｄ，３１ｅ，３１ｆ  ４，５，６条目の繰り出し部
１２１，１１１          第１操作部（６条用）
１２２ａ                第２操作部、３条目用第２操作部（６条用）
１２２ｂ                第２操作部、４条目用第２操作部（６条用）
１１２                  第２操作部（６条用）
１２３，１１３          第３操作部（６条用）
【図１】
2014155476.tif 000003
【図２】
2014155476.tif 000004
【図３】
2014155476.tif 000005
【図４】
2014155476.tif 000006
【図５】
2014155476.tif 000007
【図６】
2014155476.tif 000008
【図７】
2014155476.tif 000009
【図８】
2014155476.tif 000010
【図９】
2014155476.tif 000011
【図１０】
2014155476.tif 000012
【図１１】
2014155476.tif 000013
【図１２】
2014155476.tif 000014
【図１３】
2014155476.tif 000015
【図１４】
2014155476.tif 000016
【図１５】
2014155476.tif 000017
【図１６】
2014155476.tif 000018
【図１７】
2014155476.tif 000019
【図１８】
2014155476.tif 000020
【図１９】
2014155476.tif 000021